(57)【要約】  本願の実施例は、チャネル伝送の柔軟性を向上させることができる無線通信方法及びデバイスを提供する。当該方法は、端末デバイスが第１の時間ユニットから、制約条件に基づいて複数の時間ユニットを確定することと、前記複数の時間ユニットにおいて、前記端末デバイスが前記ネットワークデバイスに１つの第１のチャネルを送信することとを含み、前記複数の時間ユニットは、前記１つの第１のチャネルを伝送するために使用される。
2020528229.tif 000002
【特許請求の範囲】
【請求項１】
端末デバイスが第１の時間ユニットから、制約条件に基づいて複数の時間ユニットを確定することと、
前記複数の時間ユニットにおいて、前記端末デバイスが前記ネットワークデバイスに１つの第１のチャネルを送信することとを含み、
前記複数の時間ユニットは、前記１つの第１のチャネルを伝送するために使用される
ことを特徴とする無線通信方法。
【請求項２】
前記制約条件は、前記時間ユニットにおいて前記１つの第１のチャネルを伝送するための物理リソース、前記時間ユニットにおいて伝送する前記１つの第１のチャネルの以外のチャネルのうちの少なくとも１つに対する制約である
ことを特徴とする請求項１に記載の無線通信方法。
【請求項３】
前記時間ユニットにおいて前記１つの第１のチャネルを伝送するための物理リソースに対する制約は、前記時間ユニットにおいて前記１つの第１のチャネルを伝送するための物理リソースの数に対する制約を含む
ことを特徴とする請求項２に記載の無線通信方法。
【請求項４】
前記制約条件を満たしている各前記時間ユニットにおいて前記第１のチャネルを伝送するための物理リソースの数は、所定の値の以上である
ことを特徴とする請求項１〜３のいずれか１項に記載の無線通信方法。
【請求項５】
前記制約条件を満たしている各前記時間ユニットに前記１つの第１のチャネルを伝送するための時間領域シンボルの数が、第１の所定の値の以上であり、又は、
前記制約条件を満たしている各前記時間ユニットに前記１つの第１のチャネルを伝送するための時間領域シンボルの数が、前記第１の所定の値の以上であり、且つ前記１つの第１のチャネルを伝送するための周波数領域リソースの数が、第２の所定の値の以上であり、又は、
前記制約条件を満たしている各前記時間ユニットに伝送するための第１のチャネルユニットの数が、第３の所定の値の以上であることを含む
ことを特徴とする請求項４に記載の無線通信方法。
【請求項６】
前記第１のチャネルユニットには、基準信号、制御及び／又はデータ情報が含まれる
ことを特徴とする請求項５に記載の無線通信方法。
【請求項７】
前記方法は、さらに、
前記端末デバイスが前記ネットワークデバイスにより送信された第１の構成情報を受信することを含み、前記第１の構成情報は、前記第１のチャネルユニットを構成するために使用される
ことを特徴とする請求項５又は６に記載の無線通信方法。
【請求項８】
前記方法は、さらに、
前記端末デバイスが前記ネットワークデバイスにより送信された第２の構成情報を受信することを含み、前記第２の構成情報は、前記所定の値を示す
ことを特徴とする請求項５〜７のいずれか１項に記載の無線通信方法。
【請求項９】
前記時間ユニットにおいて伝送する前記１つの第１のチャネルの以外のチャネルに対する制約は、前記時間ユニットにおいて伝送する前記１つの第１のチャネルの以外のチャネルが前記１つの第１のチャネルの優先度に対する制約を含む
ことを特徴とする請求項２〜８のいずれか１項に記載の無線通信方法。
【請求項１０】
前記制約条件を満たしている前記時間ユニットにおいて伝送する前記１つの第１のチャネルの以外のチャネルの優先度が、前記１つの第１のチャネルよりも低い
ことを特徴とする請求項１〜９のいずれか１項に記載の無線通信方法。
【請求項１１】
前記端末デバイスが第１の時間ユニットから、制約条件に基づいて複数の時間ユニットを確定することは、
前記端末デバイスが前記第１の時間ユニットから、前記制約条件に基づいて特定の数の前記時間ユニットを確定することを含む
ことを特徴とする請求項１〜１０のいずれか１項に記載の無線通信方法。
【請求項１２】
前記方法は、さらに、
前記端末デバイスが前記ネットワークデバイスにより送信された第３の構成情報を受信することを含み、前記第３の構成情報は、前記特定の数を示す
ことを特徴とする請求項１１に記載の無線通信方法。
【請求項１３】
前記方法は、さらに、
前記端末デバイスが前記ネットワークデバイスにより送信された第４の構成情報を受信することを含み、前記第４の構成情報は、前記端末デバイスが複数の前記時間ユニットを利用して前記１つの第１のチャネルを伝送するように指示する
ことを特徴とする請求項１〜１２のいずれか１項に記載の無線通信方法。
【請求項１４】
前記複数の時間ユニットにおいて、前記端末デバイスが前記ネットワークデバイスに１つの第１のチャネルを送信することは、
前記端末デバイスが前記複数の時間ユニットにおいて同じ周波数領域リソースを利用して前記１つの第１のチャネルを伝送すること、又は、
前記端末デバイスが前記複数の時間ユニットの１番目の時間ユニットにおいて第１の周波数領域リソースを使用して、前記複数の時間ユニットの前記１番目の時間ユニット以外の時間ユニットにおいて第２の周波数領域リソースを利用して前記１つの第１のチャネルを伝送し、前記第２の周波数領域リソースが前記第１の周波数領域リソースに基づいて確定されることを含む
ことを特徴とする請求項１〜１３のいずれか１項に記載の無線通信方法。
【請求項１５】
前記時間ユニットは、タイムスロット、サブフレームまたはフレームである
ことを特徴とする請求項１〜１４のいずれか１項に記載の無線通信方法。
【請求項１６】
ネットワークデバイスが第１の時間ユニットから、制約条件に基づいて複数の時間ユニットを確定することと、
前記複数の時間ユニットにおいて、前記ネットワークデバイスが端末デバイスにより送信された前記１つの第１のチャネルを受信することとを含み、
前記複数の時間ユニットは、前記１つの第１のチャネルを伝送するために使用される
ことを特徴とする無線通信方法。
【請求項１７】
前記制約条件は、前記時間ユニットにおいて前記１つの第１のチャネルを伝送するための物理リソース、前記時間ユニットに前記端末デバイスが伝送する前記１つの第１のチャネルの以外のチャネルのうちの少なくとも１つに対する制約である
ことを特徴とする請求項１６に記載の無線通信方法。
【請求項１８】
前記時間ユニットにおいて前記１つの第１のチャネルを伝送するための物理リソースに対する制約は、前記時間ユニットにおいて前記１つの第１のチャネルを伝送するための物理リソースの数に対する制約を含む
ことを特徴とする請求項１７に記載の無線通信方法。
【請求項１９】
前記制約条件を満たしている各前記時間ユニットに前記１つの第１のチャネルを伝送するための物理リソースの数は、所定の値の以上である
ことを特徴とする請求項１６〜１８のいずれか１項に記載の無線通信方法。
【請求項２０】
前記制約条件を満たしている各前記時間ユニットに前記１つの第１のチャネルを伝送するための時間領域シンボルの数が、第１の所定の値の以上であり、又は、
前記制約条件を満たしている各前記時間ユニットに前記１つの第１のチャネルを伝送するための時間領域シンボルの数が、前記第１の所定の値の以上であり、且つ前記１つの第１のチャネルを伝送するための周波数領域リソースの数が、第２の所定の値の以上であり、又は、
前記制約条件を満たしている各前記時間ユニットに第１のチャネルユニットを伝送するための数が、第３の所定の値の以上であることを含む
ことを特徴とする請求項１９に記載の無線通信方法。
【請求項２１】
前記第１のチャネルユニットには、基準信号、制御及び／又はデータ情報が含まれる
ことを特徴とする請求項２０に記載の無線通信方法。
【請求項２２】
前記方法は、さらに、
前記ネットワークデバイスが前記端末デバイスに第１の構成情報を送信することを含み、前記第１の構成情報は、前記第１のチャネルユニットを構成するために使用される
ことを特徴とする請求項２０又は２１に記載の無線通信方法。
【請求項２３】
前記方法は、さらに、
前記ネットワークデバイスが前記端末デバイスに第２の構成情報を送信することを含み、前記第２の構成情報は、前記所定の値を示す
ことを特徴とする請求項２０〜２２のいずれか１項に記載の無線通信方法。
【請求項２４】
前記時間ユニットにおいて前記端末デバイスが伝送する前記１つの第１のチャネルの以外のチャネルに対する制約は、前記時間ユニットに前記端末デバイスが伝送する前記１つの第１のチャネルの以外のチャネルが前記１つの第１のチャネルの優先度に対する制約を含む
ことを特徴とする請求項１７〜２３のいずれか１項に記載の無線通信方法。
【請求項２５】
前記制約条件を満たしている前記時間ユニットにおいて前記端末デバイスが伝送する前記１つの第１のチャネルの以外のチャネルの優先度は、前記１つの第１のチャネルよりも低い
ことを特徴とする請求項２４に記載の無線通信方法。
【請求項２６】
前記ネットワークデバイスが第１の時間ユニットから、制約条件に基づいて複数の時間ユニットを確定することは、
前記ネットワークデバイスが前記第１の時間ユニットから、前記制約条件に基づいて特定の数の前記時間ユニットを確定することを含む
ことを特徴とする請求項１６〜２５のいずれか１項に記載の無線通信方法。
【請求項２７】
前記方法は、さらに、
前記ネットワークデバイスが前記端末デバイスに第３の構成情報を送信することを含み、前記第３の構成情報は、前記特定の数を示す
ことを特徴とする請求項２６に記載の無線通信方法。
【請求項２８】
前記方法は、さらに、
前記ネットワークデバイスが前記端末デバイスに第４の構成情報を送信することを含み、前記第４の構成情報は、前記端末デバイスが複数の前記時間ユニットを利用して前記１つの第１のチャネルを伝送するように指示する
ことを特徴とする請求項１６〜２７のいずれか１項に記載の無線通信方法。
【請求項２９】
前記複数の時間ユニットにおいて、前記ネットワークデバイスが前記端末デバイスにより送信された前記１つの第１のチャネルを受信することは、
前記ネットワークデバイスが前記複数の時間ユニットにおいて同じ周波数領域リソースを利用して前記第１のチャネルを受信すること、又は、
前記ネットワークデバイスが前記複数の時間ユニットの１番目の時間ユニットにおいて第１の周波数領域リソースを利用して、前記複数の時間ユニットの前記１番目の時間ユニットの以外の時間ユニットにおいて第２の周波数領域リソースを利用して前記１つの第１のチャネルを受信することを含み、
前記第２の周波数領域リソースが前記第１の周波数領域リソースに基づいて確定される
ことを特徴とする請求項１６〜２８のいずれか１項に記載の無線通信方法。
【請求項３０】
前記時間ユニットは、タイムスロット、サブフレームまたはフレームである
ことを特徴とする請求項１６〜２９のいずれか１項に記載の無線通信方法。
【請求項３１】
処理ユニット及び通信ユニットを含む端末デバイスであって、
前記処理ユニットは、第１の時間ユニットから、制約条件に基づいて複数の時間ユニットを確定するように構成され、
前記通信ユニットは、前記複数の時間ユニットにおいて、前記ネットワークデバイスに１つの第１のチャネルを送信するように構成され、
前記複数の時間ユニットは、前記１つの第１のチャネルを伝送するために使用され、
ことを特徴とする端末デバイス。
【請求項３２】
前記制約条件は、前記時間ユニットにおいて前記１つの第１のチャネルを伝送するための物理リソース、前記時間ユニットにおいて伝送する前記１つの第１のチャネルの以外のチャネルのうちの少なくとも１つに対する制約である
ことを特徴とする請求項３１に記載の端末デバイス。
【請求項３３】
前記時間ユニットにおいて前記１つの第１のチャネルを伝送するための物理リソースに対する制約は、前記時間ユニットにおいて前記１つの第１のチャネルを伝送するための物理リソースの数に対する制約を含む
ことを特徴とする請求項３２に記載の端末デバイス。
【請求項３４】
前記制約条件を満たしている各前記時間ユニットにおいて前記第１のチャネルを伝送するための物理リソースの数は、所定の値の以上である
ことを特徴とする請求項３１〜３３のいずれか１項に記載の端末デバイス。
【請求項３５】
前記制約条件を満たしている各前記時間ユニットに前記１つの第１のチャネルを伝送するための時間領域シンボルの数が、第１の所定の値の以上であり、又は、
前記制約条件を満たしている各前記時間ユニットに前記１つの第１のチャネルを伝送するための時間領域シンボルの数が、前記第１の所定の値の以上であり、且つ前記１つの第１のチャネルを伝送するための周波数領域リソースの数が、第２の所定の値の以上であり、又は、
前記制約条件を満たしている各前記時間ユニットに伝送するための第１のチャネルユニットの数が、第３の所定の値の以上である
ことを特徴とする請求項３４に記載の端末デバイス。
【請求項３６】
前記第１のチャネルユニットには、基準信号、制御及び／又はデータ情報が含まれる
ことを特徴とする請求項３５に記載の端末デバイス。
【請求項３７】
前記通信ユニットは、さらに、
前記ネットワークデバイスにより送信された第１の構成情報を受信するように構成され、前記第１の構成情報は、前記第１のチャネルユニットを構成するために使用される
ことを特徴とする請求項３５又は３６に記載の端末デバイス。
【請求項３８】
前記通信ユニットは、さらに、
前記ネットワークデバイスにより送信された第２の構成情報を受信するように構成され、前記第２の構成情報は、前記所定の値を示す
ことを特徴とする請求項３５〜３７のいずれか１項に記載の端末デバイス。
【請求項３９】
前記時間ユニットにおいて伝送する前記１つの第１のチャネルの以外のチャネルに対する制約は、前記時間ユニットにおいて伝送する前記１つの第１のチャネルの以外のチャネルが前記１つの第１のチャネルの優先度に対する制約を含む
ことを特徴とする請求項３２〜３８のいずれか１項に記載の端末デバイス。
【請求項４０】
前記制約条件を満たしている前記時間ユニットにおいて伝送する前記１つの第１のチャネルの以外のチャネルの優先度が、前記１つの第１のチャネルよりも低い
ことを特徴とする請求項３１〜３９のいずれか１項に記載の端末デバイス。
【請求項４１】
前記処理ユニットは、さらに、
前記第１の時間ユニットから、前記制約条件に基づいて特定の数の前記時間ユニットを確定するように構成される
ことを特徴とする請求項３１〜４０のいずれか１項に記載の端末デバイス。
【請求項４２】
前記通信ユニットは、さらに、
前記ネットワークデバイスにより送信された第３の構成情報を受信するように構成され、前記第３の構成情報は、前記特定の数を示す
ことを特徴とする請求項４１に記載の端末デバイス。
【請求項４３】
前記通信ユニットは、さらに、
前記ネットワークデバイスにより送信された第４の構成情報を受信するように構成され、前記第４の構成情報は、前記端末デバイスが複数の前記時間ユニットを利用して前記１つの第１のチャネルを伝送するように指示する
ことを特徴とする請求項３１〜４２のいずれか１項に記載の端末デバイス。
【請求項４４】
前記通信ユニットは、さらに、
前記複数の時間ユニットにおいて同じ周波数領域リソースを利用して前記１つの第１のチャネルを伝送し、又は、
前記複数の時間ユニットの１番目の時間ユニットにおいて第１の周波数領域リソースを利用して、前記複数の時間ユニットの前記１番目の時間ユニットの以外の時間ユニットにおいて第２の周波数領域リソースを利用して前記１つの第１のチャネルを伝送するように構成され、前記第２の周波数領域リソースが前記第１の周波数領域リソースに基づいて確定されることを含む
ことを特徴とする請求項３１〜４３のいずれか１項に記載の端末デバイス。
【請求項４５】
前記時間ユニットは、タイムスロット、サブフレームまたはフレームである
ことを特徴とする請求項３１〜４４のいずれか１項に記載の端末デバイス。
【請求項４６】
処理ユニット及び通信ユニットを含むネットワークデバイスであって、
前記処理ユニットは、第１の時間ユニットから、制約条件に基づいて複数の時間ユニットを確定するように構成され、
前記複数の時間ユニットは、前記１つの第１のチャネルを伝送するために使用され、
前記通信ユニットは、前記複数の時間ユニットにおいて、端末デバイスにより送信された前記１つの第１のチャネルを受信するように構成される
ことを特徴とするネットワークデバイス。
【請求項４７】
前記制約条件は、前記時間ユニットにおいて前記１つの第１のチャネルを伝送するための物理リソース、前記時間ユニットにおいて前記端末デバイスが伝送する前記１つの第１のチャネルの以外のチャネルのうちの少なくとも１つに対する制約である
ことを特徴とする請求項４６に記載のネットワークデバイス。
【請求項４８】
前記時間ユニットにおいて前記１つの第１のチャネルを伝送するための物理リソースに対する制約は、前記時間ユニットにおいて前記１つの第１のチャネルを伝送するための物理リソースの数に対する制約を含む
ことを特徴とする請求項４７に記載のネットワークデバイス。
【請求項４９】
前記制約条件を満たしている各前記時間ユニットに前記１つの第１のチャネルを伝送するための物理リソースの数は、所定の値の以上である
ことを特徴とする請求項４６〜４８のいずれか１項に記載のネットワークデバイス。
【請求項５０】
前記制約条件を満たしている各前記時間ユニットに前記１つの第１のチャネルを伝送するための時間領域シンボルの数が、第１の所定の値の以上であり、又は、
前記制約条件を満たしている各前記時間ユニットに前記１つの第１のチャネルを伝送するための時間領域シンボルの数が、前記第１の所定の値の以上であり、且つ前記１つの第１のチャネルを伝送するための周波数領域リソースの数が、第２の所定の値の以上であり、又は、
前記制約条件を満たしている各前記時間ユニットに第１のチャネルユニットを伝送するための数が、第３の所定の値の以上であることを含む
ことを特徴とする請求項４９に記載のネットワークデバイス。
【請求項５１】
前記第１のチャネルユニットには、基準信号、制御及び／又はデータ情報が含まれる
ことを特徴とする請求項５０に記載のネットワークデバイス。
【請求項５２】
前記通信ユニットは、さらに、
前記端末デバイスに第１の構成情報を送信するように構成され、前記第１の構成情報は、前記第１のチャネルユニットを構成するために使用される
ことを特徴とする請求項５０又は５１に記載のネットワークデバイス。
【請求項５３】
前記通信ユニットは、さらに、
前記端末デバイスに第２の構成情報を送信するように構成され、前記第２の構成情報は、前記所定の値を示す
ことを特徴とする請求項５０〜５２のいずれか１項に記載のネットワークデバイス。
【請求項５４】
前記時間ユニットにおいて前記端末デバイスが伝送する前記１つの第１のチャネルの以外のチャネルに対する制約は、前記時間ユニットに前記端末デバイスが伝送する前記１つの第１のチャネルの以外のチャネルが前記１つの第１のチャネルの優先度に対する制約を含む
ことを特徴とする請求項４７〜５３のいずれか１項に記載のネットワークデバイス。
【請求項５５】
前記制約条件を満たしている前記時間ユニットに前記端末デバイスが伝送する前記１つの第１のチャネルの以外のチャネルの優先度は、前記１つの第１のチャネルよりも低い
ことを特徴とする請求項５４に記載のネットワークデバイス。
【請求項５６】
前記処理ユニットは、さらに、
前記第１の時間ユニットから、前記制約条件に基づいて特定の数の前記時間ユニットを確定するように構成される
ことを特徴とする請求項４６〜５５のいずれか１項に記載のネットワークデバイス。
【請求項５７】
前記通信ユニットは、さらに、
前記端末デバイスに第３の構成情報を送信するように構成され、前記第３の構成情報は、前記特定の数を示す
ことを特徴とする請求項５６に記載のネットワークデバイス。
【請求項５８】
前記通信ユニットは、さらに、
前記端末デバイスに第４の構成情報を送信するように構成され、前記第４の構成情報は、前記端末デバイスが複数の前記時間ユニットを利用して前記１つの第１のチャネルを伝送するように指示する
ことを特徴とする請求項４６〜５７のいずれか１項に記載のネットワークデバイス。
【請求項５９】
前記通信ユニットは、さらに、
前記複数の時間ユニットにおいて同じ周波数領域リソースを利用して前記第１のチャネルを受信し、又は、
前記複数の時間ユニットの１番目の時間ユニットにおいて第１の周波数領域リソースを利用して、前記複数の時間ユニットの前記１番目の時間ユニットの以外の時間ユニットにおいて第２の周波数領域リソースを利用して前記１つの第１のチャネルを受信するように構成され、前記第２の周波数領域リソースが前記第１の周波数領域リソースに基づいて確定される
ことを特徴とする請求項４６〜５８のいずれか１項に記載のネットワークデバイス。
【請求項６０】
前記時間ユニットは、タイムスロット、サブフレームまたはフレームである
ことを特徴とする請求項４６〜５９のいずれか１項に記載のネットワークデバイス。
【発明の詳細な説明】
【技術分野】
【０００１】
本願は、通信分野に関し、具体的に、無線通信方法及びデバイスに関する。
【背景技術】
【０００２】
現在の新しい無線( ＮＲ、Ｎｅｗ Ｒａｄｉｏ )システムでは、チャネル伝送に対する柔軟性の要求が高く、例えば、端末デバイスの現在の送信電力の制限のため、より柔軟なチャネル伝送が望まれている。
【０００３】
従って、チャネル伝送の柔軟性をいかに高めるかが、解決すべき課題である。
【発明の概要】
【０００４】
本願の実施例は、チャネル伝送の柔軟性を向上させる無線通信方法及びデバイスを提供する。
【０００５】
第１の態様は、無線通信方法を提供し、
端末デバイスが第１の時間ユニットから、制約条件に基づいて複数の時間ユニットを確定することと、
前記複数の時間ユニットにおいて、前記端末デバイスが前記ネットワークデバイスに１つの第１のチャネルを送信することとを含み、
前記複数の時間ユニットは、前記１つの第１のチャネルを伝送するために使用される。
【０００６】
第１の態様と結合し、第１の態様の実現可能な方式において、前記制約条件は、前記時間ユニットにおいて前記１つの第１のチャネルを伝送するための物理リソース、前記時間ユニットにおいて伝送する前記１つの第１のチャネルの以外のチャネルのうちの少なくとも１つに対する制約である。
【０００７】
第１の態様又は上記のいずれか実現可能な方式と結合し、第１の態様の他の実現可能な方式において、前記時間ユニットにおいて前記１つの第１のチャネルを伝送するための物理リソースに対する制約は、前記時間ユニットにおいて前記１つの第１のチャネルを伝送するための物理リソースの数に対する制約を含む。
【０００８】
第１の態様又は上記のいずれか実現可能な方式と結合し、第１の態様の他の実現可能な方式において、前記制約条件を満たしている各前記時間ユニットにおいて前記第１のチャネルを伝送するための物理リソースの数は、所定の値の以上である。
【０００９】
第１の態様又は上記のいずれか実現可能な方式と結合し、第１の態様の他の実現可能な方式において、
前記制約条件を満たしている各前記時間ユニットに前記１つの第１のチャネルを伝送するための時間領域シンボルの数が、第１の所定の値の以上であり、又は、
前記制約条件を満たしている各前記時間ユニットに前記１つの第１のチャネルを伝送するための時間領域シンボルの数が、前記第１の所定の値の以上であり、且つ前記１つの第１のチャネルを伝送するための周波数領域リソースの数が、第２の所定の値の以上であり、又は、
前記制約条件を満たしている各前記時間ユニットに伝送するための第１のチャネルユニットの数が、第３の所定の値の以上である。
【００１０】
第１の態様又は上記のいずれか実現可能な方式と結合し、第１の態様の他の実現可能な方式において、前記第１のチャネルユニットには、基準信号、制御及び／又はデータ情報が含まれる。
【００１１】
第１の態様又は上記のいずれか実現可能な方式と結合し、第１の態様の他の実現可能な方式において、前記方法は、さらに、
前記端末デバイスが前記ネットワークデバイスにより送信された第１の構成情報を受信することを含み、前記第１の構成情報は、前記第１のチャネルユニットを構成するために使用される。
【００１２】
第１の態様又は上記のいずれか実現可能な方式と結合し、第１の態様の他の実現可能な方式において、前記方法は、さらに、
前記端末デバイスが前記ネットワークデバイスにより送信された第２の構成情報を受信することを含み、前記第２の構成情報は、前記所定の値を示す。
【００１３】
第１の態様又は上記のいずれか実現可能な方式と結合し、第１の態様の他の実現可能な方式において、前記時間ユニットにおいて伝送する前記１つの第１のチャネルの以外のチャネルに対する制約は、前記時間ユニットにおいて伝送する前記１つの第１のチャネルの以外のチャネルが前記１つの第１のチャネルの優先度に対する制約を含む。
【００１４】
第１の態様又は上記のいずれか実現可能な方式と結合し、第１の態様の他の実現可能な方式において、前記制約条件を満たしている前記時間ユニットにおいて伝送する前記１つの第１のチャネルの以外のチャネルの優先度が、前記１つの第１のチャネルよりも低い。
【００１５】
第１の態様又は上記のいずれか実現可能な方式と結合し、第１の態様の他の実現可能な方式において、前記端末デバイスが第１の時間ユニットから、制約条件に基づいて複数の時間ユニットを確定することは、
前記端末デバイスが前記第１の時間ユニットから、前記制約条件に基づいて特定の数の前記時間ユニットを確定することを含む。
【００１６】
第１の態様又は上記のいずれか実現可能な方式と結合し、第１の態様の他の実現可能な方式において、前記方法は、さらに、
前記端末デバイスが前記ネットワークデバイスにより送信された第３の構成情報を受信することを含み、前記第３の構成情報は、前記特定の数を示す。
【００１７】
第１の態様又は上記のいずれか実現可能な方式と結合し、第１の態様の他の実現可能な方式において、前記方法は、さらに、
前記端末デバイスが前記ネットワークデバイスにより送信された第４の構成情報を受信することを含み、前記第４の構成情報は、前記端末デバイスが複数の前記時間ユニットを利用して前記１つの第１のチャネルを伝送するように指示する。
【００１８】
第１の態様又は上記のいずれか実現可能な方式と結合し、第１の態様の他の実現可能な方式において、前記複数の時間ユニットにおいて、前記端末デバイスが前記ネットワークデバイスに１つの第１のチャネルを送信することは、
前記端末デバイスが前記複数の時間ユニットにおいて同じ周波数領域リソースを利用して前記１つの第１のチャネルを伝送すること、又は、
前記端末デバイスが前記複数の時間ユニットの１番目の時間ユニットにおいて第１の周波数領域リソースを使用して、前記複数の時間ユニットの前記１番目の時間ユニット以外の時間ユニットにおいて第２の周波数領域リソースを利用して前記１つの第１のチャネルを伝送し、前記第２の周波数領域リソースが前記第１の周波数領域リソースに基づいて確定されることを含む。
【００１９】
第１の態様又は上記のいずれか実現可能な方式と結合し、第１の態様の他の実現可能な方式において、前記時間ユニットは、タイムスロット、サブフレームまたはフレームである。
【００２０】
第２の態様は、無線通信方法を提供し、
ネットワークデバイスが第１の時間ユニットから、制約条件に基づいて複数の時間ユニットを確定することと、
前記複数の時間ユニットにおいて、前記ネットワークデバイスが端末デバイスにより送信された前記１つの第１のチャネルを受信することとを含み、前記複数の時間ユニットは、前記１つの第１のチャネルを伝送するために使用される。
【００２１】
第２の態様と結合し、第２の態様の実現可能な方式、前記制約条件は、前記時間ユニットにおいて前記１つの第１のチャネルを伝送するための物理リソース、前記時間ユニットに前記端末デバイスが伝送する前記１つの第１のチャネルの以外のチャネルのうちの少なくとも１つに対する制約を含む。
【００２２】
第２の態様又は上記のいずれか実現可能な方式と結合し、第２の態様の他の実現可能な方式において、前記時間ユニットにおいて前記１つの第１のチャネルを伝送するための物理リソースに対する制約は、前記時間ユニットにおいて前記１つの第１のチャネルを伝送するための物理リソースの数に対する制約を含む。
【００２３】
第２の態様又は上記のいずれか実現可能な方式と結合し、第２の態様の他の実現可能な方式において、前記制約条件を満たしている各前記時間ユニットに前記１つの第１のチャネルを伝送するための物理リソースの数は、所定の値の以上である。
【００２４】
第２の態様又は上記のいずれか実現可能な方式と結合し、第２の態様の他の実現可能な方式において、
前記制約条件を満たしている各前記時間ユニットに前記１つの第１のチャネルを伝送するための時間領域シンボルの数が、第１の所定の値の以上であり、又は、
前記制約条件を満たしている各前記時間ユニットに前記１つの第１のチャネルを伝送するための時間領域シンボルの数が、前記第１の所定の値の以上であり、且つ前記１つの第１のチャネルを伝送するための周波数領域リソースの数が、第２の所定の値の以上であり、又は、
前記制約条件を満たしている各前記時間ユニットに第１のチャネルユニットを伝送するための数が、第３の所定の値の以上である。
【００２５】
第２の態様又は上記のいずれか実現可能な方式と結合し、第２の態様の他の実現可能な方式において、前記第１のチャネルユニットには、基準信号、制御及び／又はデータ情報が含まれる。
【００２６】
第２の態様又は上記のいずれか実現可能な方式と結合し、第２の態様の他の実現可能な方式において、前記方法は、さらに、
前記ネットワークデバイスが前記端末デバイスに第１の構成情報を送信することを含み、前記第１の構成情報は、前記第１のチャネルユニットを構成するために使用される。
【００２７】
第２の態様又は上記のいずれか実現可能な方式と結合し、第２の態様の他の実現可能な方式において、前記方法は、さらに、
前記ネットワークデバイスが前記端末デバイスに第２の構成情報を送信することを含み、前記第２の構成情報は、前記所定の値を示す。
【００２８】
第２の態様又は上記のいずれか実現可能な方式と結合し、第２の態様の他の実現可能な方式において、前記時間ユニットにおいて前記端末デバイスが伝送する前記１つの第１のチャネルの以外のチャネルに対する制約は、前記時間ユニットに前記端末デバイスが伝送する前記１つの第１のチャネルの以外のチャネルが前記１つの第１のチャネルの優先度に対する制約を含む。
【００２９】
第２の態様又は上記のいずれか実現可能な方式と結合し、第２の態様の他の実現可能な方式において、前記制約条件を満たしている前記時間ユニットに前記端末デバイスが伝送する前記１つの第１のチャネルの以外のチャネルの優先度は、前記１つの第１のチャネルよりも低い。
【００３０】
第２の態様又は上記のいずれか実現可能な方式と結合し、第２の態様の他の実現可能な方式において、前記ネットワークデバイスが第１の時間ユニットから、制約条件に基づいて複数の時間ユニットを確定することは、
前記ネットワークデバイスが前記第１の時間ユニットから、前記制約条件に基づいて特定の数の前記時間ユニットを確定することを含む。
【００３１】
第２の態様又は上記のいずれか実現可能な方式と結合し、第２の態様の他の実現可能な方式において、前記方法は、さらに、
前記ネットワークデバイスが前記端末デバイスに第３の構成情報を送信することを含み、前記第３の構成情報は、前記特定の数を示す。
【００３２】
第２の態様又は上記のいずれか実現可能な方式と結合し、第２の態様の他の実現可能な方式において、前記方法は、さらに、
前記ネットワークデバイスが前記端末デバイスに第４の構成情報を送信することを含み、前記第４の構成情報は、前記端末デバイスが複数の前記時間ユニットを利用して前記１つの第１のチャネルを伝送するように指示する。
【００３３】
第２の態様又は上記のいずれか実現可能な方式と結合し、第２の態様の他の実現可能な方式において、前記複数の時間ユニットにおいて、前記ネットワークデバイスが前記端末デバイスにより送信された前記１つの第１のチャネルを受信することは、
前記ネットワークデバイスが前記複数の時間ユニットにおいて同じ周波数領域リソースを利用して前記第１のチャネルを受信すること、又は、
前記ネットワークデバイスが前記複数の時間ユニットの１番目の時間ユニットにおいて第１の周波数領域リソースを利用して、前記複数の時間ユニットの前記１番目の時間ユニットの以外の時間ユニットにおいて第２の周波数領域リソースを利用して前記１つの第１のチャネルを受信することを含み、ここで、前記第２の周波数領域リソースが前記第１の周波数領域リソースに基づいて確定される。
【００３４】
第２の態様又は上記のいずれか実現可能な方式と結合し、第２の態様の他の実現可能な方式において、前記時間ユニットは、タイムスロット、サブフレームまたはフレームである。
【００３５】
第３の態様は、上記の第１の態様または第１の態様の任意の可能な実装における方法を実行するための端末デバイスを提供する。具体的には、端末デバイスは、上記の第１の態様または第１の態様の任意の可能な実装形態における方法を実行するための機能モジュールを含む。
【００３６】
第４の態様は、上記の第２の態様または第２の態様の任意の可能な実装における方法を実行するためのネットワークデバイスを提供する。特に、ネットワークデバイスは、上記の第２の態様または第２の態様の任意の可能な実装形態における方法を実行するための機能モジュールを含む。
【００３７】
第５の態様は、プロセッサと、メモリと、送受信機とを含む端末デバイスを提供する。プロセッサ、メモリ、および送受信機は、内部接続経路を介して互いに通信し、制御信号および/またはデータ信号を通信し、ネットワークデバイスに、上記の第１の態様または第１の態様の可能な実装形態のいずれかにおける方法を実行させる。
【００３８】
第６の態様では、プロセッサと、メモリと、送受信機とを含むネットワークデバイスが提供される。プロセッサ、メモリ、および送受信機は、内部接続経路を介して互いに通信し、制御信号および/またはデータ信号を通信し、ネットワークデバイスに、上記の第２の態様または第２の態様の可能な実装のいずれかにおける方法を実行させる。
【００３９】
第７の態様は、上記の第１の態様または第１の態様の任意の可能な実装を実行するための命令を含むコンピュータプログラムを記憶するためのコンピュータ可読媒体を提供する。
【００４０】
第８の態様は、上述の第２の態様または第２の態様の任意の可能な実装を実行するための命令を含むコンピュータプログラムを記憶するためのコンピュータ可読媒体を提供する。
【００４１】
第９の態様は、命令を備えるコンピュータプログラム製品を提供し、コンピュータ上で実行されると、コンピュータに、上述の第１の態様もしくは第１の態様の任意の１つの代替的な実装、または第２の態様もしくは第２の態様の任意の１つの代替的な実装における方法を実行させる。
【００４２】
そして、本願の実施例において、端末デバイスが第１の時間ユニットから、制約条件に基づいて複数の時間ユニットを確定し、前記複数の時間ユニットにおいて、前記端末デバイスが前記ネットワークデバイスに１つの第１のチャネルを送信し、前記複数の時間ユニットは、前記１つの第１のチャネルを伝送するために使用され、動的に時間ユニットを選択することができ、固定された１つの時間ユニットでチャネル伝送を行うことを回避し、チャネルの占有する時間領域リソースの大きさが異なるシーンに適用することができ、チャネル伝送の柔軟性を高めることができる。また、端末デバイスの送信電力が制限されている場合には、１つのチャネルを送信する時間ユニットを複数選択することができる。
【図面の簡単な説明】
【００４３】
本開示の上記および他の特徴およびメリットは、添付の図面を参照して詳細に説明する例示的な実施例により、より明らかになる。なお、以下の記載における図面はただ本発明の一部の実施例に過ぎず、当業者の場合、創造的な労働を付与しない前提で、これらの図面によって他の図面を得ることができる。
【図１】本願の実施例における無線通信システムの模式図である。
【図２】本願の実施例における無線通信方法のフローチャートである。
【図３】本願の実施例における時間領域リソース割り当ての模式図である。
【図４】本願の実施例における時間領域リソース割り当ての模式図である。
【図５】本願の実施例における時間領域リソース割り当ての模式図である。
【図６】本願の実施例における時間領域リソース割り当ての模式図である。
【図７】本願の実施例における無線通信方法のフローチャートである。
【図８】本願の実施例における端末デバイスのブロック図である。
【図９】本願の実施例におけるネットワークデバイスのブロック図である。
【図１０】本願の実施例におけるシステムチップのブロック図である。
【図１１】本願の実施例における通信デバイスのブロック図である。
【発明を実施するための形態】
【００４４】
以下、本発明の実施の形態について図面を参照して説明するが、本発明は、この実施の形態に限定されるものではなく、本発明の技術的思想に基づく各種の変形が可能である。本出願における実施例に基づいて、当業者が創造的な労働をすることなく得られる全ての他の実施例は、本出願の保護範囲に属する。
【００４５】
本願の実施例の技術的解決策は、例えば、全地球移動通信(Ｇｌｏｂａｌ  Ｓｙｓｔｅｍ  ｏｆ  Ｍｏｂｉｌｅ  ｃｏｍｍｕｎｉｃａｔｉｏｎ：ＧＳＭ )システム、符号分割多元接続(Ｃｏｄｅ  Ｄｉｖｉｓｉｏｎ  Ｍｕｌｔｉｐｌｅ  Ａｃｃｅｓｓ：ＣＤＭＡ)システム、広帯域符号分割多元接続(Ｗｉｄｅｂａｎｄ  Ｃｏｄｅ  Ｄｉｖｉｓｉｏｎ  Ｍｕｌｔｉｐｌｅ  Ａｃｃｅｓｓ：ＷＣＤＭＡ)システム、汎用パケット無線サービス(Ｇｅｎｅｒａｌ  Ｐａｃｋｅｔ  Ｒａｄｉｏ  Ｓｅｒｖｉｃｅ：ＧＰＲＳ)、ロングタームエボリューション(Ｌｏｎｇ  Ｔｅｒｍ  Ｅｖｏｌｕｔｉｏｎ：ＬＴＥ)システム、ＬＴＥ周波数分割複信(Ｆｒｅｑｕｅｎｃｙ  Ｄｉｖｉｓｉｏｎ  Ｄｕｐｌｅｘ：ＦＤＤ)システム、ＬＴＥ時分割複信(Ｔｉｍｅ  Ｄｉｖｉｓｉｏｎ  Ｄｕｐｌｅｘ：ＴＤＤ)、汎用移動通信システム(Ｕｎｉｖｅｒｓａｌ  Ｍｏｂｉｌｅ  Ｔｅｌｅｃｏｍｍｕｎｉｃａｔｉｏｎ  Ｓｙｓｔｅｍ：ＵＭＴＳ)、全地球相互接続マイクロ波アクセス(Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ：ＷｉＭＡＸ )通信システム、又は将来の５Ｇシステム等の様々な通信システムに適用可能であることが理解されるべきである。
【００４６】
図１は、本願の実施例が適用される無線通信システム１００を示す。無線通信システム１００は、ネットワークデバイス１１０を含み得る。ネットワークデバイス１００は、端末デバイスと通信するデバイスであってもよい。ネットワークデバイス１００は、特定の地理的エリアに通信カバレッジを提供し、カバレッジエリア内に配置されたＵＥなどの端末デバイスと通信し得る。任意選択で、ネットワークデバイス１００は、ＧＳＭシステムまたはＣＤＭＡシステムにおける基地局( Ｂａｓｅ Ｔｒａｎｓｃｅｉｖｅｒ Ｓｔａｔｉｏｎ：ＢＴＳ )、ＷＣＤＭＡシステムにおける基地局( ＮｏｄｅＢ：ＮＢ )、ＬＴＥシステムにおける発展型基地局( Ｅｖｏｌｕｔｉｏｎａｌ Ｎｏｄｅ Ｂ：ｅＮＢ、またはｅＮｏｄｅＢ )、またはクラウド無線アクセスネットワーク( Ｃｌｏｕｄ Ｒａｄｉｏ Ａｃｃｅｓｓ Ｎｅｔｗｏｒｋ：ＣＲＡＮ )における無線コントローラであってもよく、または中継局、アクセスポイント、車載装置、ウェアラブル装置、将来の５Ｇネットワークにおけるネットワーク側装置、または将来の公衆地上モバイルネットワーク( Ｐｕｂｌｉｃ Ｌａｎｄ Ｍｏｂｉｌｅ Ｎｅｔｗｏｒｋ：ＰＬＭＮ )におけるネットワークデバイスなどであってもよい。
【００４７】
当該無線通信システム１００は、ネットワークデバイス１１０のカバレージ内に配置された少なくとも１つの端末デバイス１２０をさらに含む。端末デバイス１２０は、移動型であってもよいし、固定型であってもよい。任意選択で、端末デバイス１２０は、アクセス端末、ユーザ機器( Ｕｓｅｒ Ｅｑｕｉｐｍｅｎｔ：ＵＥ )、ユーザ装置、ユーザ局、移動局、モバイル、リモート局、リモート端末、モバイル機器、ユーザ端末、無線通信機器、ユーザエージェント、またはユーザ装置を指し得る。アクセス端末は、セルラー電話、コードレス電話、セッション開始プロトコル( Ｓｅｓｓｉｏｎ Ｉｎｉｔｉａｔｉｏｎ Ｐｒｏｔｏｃｏｌ：ＳＩＰ )電話、ワイヤレスローカルループ( Ｗｉｒｅｌｅｓｓ Ｌｏｃａｌ Ｌｏｏｐ：ＷＬＬ )局、パーソナルデジタル処理( Ｐｅｒｓｏｎａｌ Ｄｉｇｉｔａｌ Ａｓｓｉｓｔａｎｔ：ＰＤＡ )、ワイヤレス通信機能を有するハンドヘルドデバイス、コンピューティングデバイス、またはワイヤレスモデムに接続された他の処理デバイス、車載デバイス、ウェアラブルデバイス、将来の５Ｇネットワークにおける端末デバイス、または将来開発されるＰＬＭＮにおける端末デバイスなどであり得る。
【００４８】
任意選択で、端末デバイス１２０間の端末直接接続( Ｄｅｖｉｃｅ ｔｏ Ｄｅｖｉｃｅ：Ｄ２Ｄ )通信が行われてもよい。
【００４９】
任意選択で、５Ｇシステム又はネットワークは、新たな無線( Ｎｅｗ Ｒａｄｉｏ：ＮＲ )システム又はネットワークと呼ばれることもある。
【００５０】
図１は、１つのネットワークデバイス及び２つの端末デバイスを例示的に示し、任意選択で、無線通信システム１００は、複数のネットワークデバイスを含み、各ネットワークデバイスのカバレージ内に他の数の端末デバイスを含んでもよく、本願の実施例は、これに限定されない。
【００５１】
任意選択で、無線通信システム１００は、ネットワークコントローラ、モビリティ管理エンティティなどの他のネットワークエンティティをさらに含むことができ、本願の実施例はこれに限定されない。
【００５２】
本明細書において、「システム」および「ネットワーク」という用語は、しばしば、本明細書において交換可能に使用されることが理解される。ここで、及び/又はとは、単に関連のある対象を記述するための関連関係の１つであり、Ａ及び/又はＢのように３つの関係が存在し得ることを意味し、Ａのみ、ＡとＢが同時に存在すること、Ｂのみが存在することの３つの場合が存在し得ることを意味する。なお、本文中の「/」の文字は、前後の関連オブジェクトが一種の「または」の関係であることを一般的に示す。
【００５３】
図２は、本発明の一実施例による、無線通信方法２００の概略的なフローチャートである。方法２００は、任意選択で、図１に示されるシステムに適用され得るが、これに限定されない。図２に示されるように、方法２００は、以下のコンテンツの少なくとも一部を含む。
【００５４】
２１０において、端末デバイスが第１の時間ユニットから、制約条件に基づいて複数の時間ユニットを確定し、前記複数の時間ユニットは、前記１つの第１のチャネルを伝送するために使用される。
【００５５】
具体的には、端末デバイスは、ある時間ユニットから開始して、１つのチャネルを伝送するための制約条件を満たす複数の時間ユニットを確定することができる。
【００５６】
任意選択で、当該第１のチャネルは、上り制御チャネル、例えば、上り物理制御チャネル( Ｕｐｌｉｎｋ Ｐｈｙｓｉｃａｌ Ｃｏｎｔｒｏｌ Ｃｈａｎｎｅｌ、ＰＵＣＣＨ )であってもよいし、上りデータチャネル、例えば、上り物理共有チャネル( Ｕｐｌｉｎｋ Ｐｈｙｓｉｃａｌ Ｓｈａｒｅｄ Ｃｈａｎｎｅｌ、ＰＵＳＣＨ )であってもよい。
【００５７】
任意選択で、本願の実施例における時間ユニットは、タイムスロット、サブフレーム、又はフレームなどであり得る。
【００５８】
任意選択で、本願の実施例における第１の時間ユニットから第１のチャネルを送信するための複数の時間ユニットを決定することは、第１の時間ユニットが制約条件を満たす場合であってもよく、第１の時間ユニットを選択することであってもよく、又は、第１の時間ユニットを判定せずに、第１の時間ユニットの次の時間ユニットから判断することであってもよい。
【００５９】
任意選択で、どの時間ユニットを第１の時間ユニットとするかは、ネットワークデバイスが設定することもできるし、予め設定しておくこともできる。
【００６０】
あるいは、端末デバイスは、現在のサービスの伝送状況に応じて、例えば、前回のデータ伝送から所定の時間ユニットだけ離れた時間ユニットを第１の時間ユニットとして決定することができる。
【００６１】
任意選択で、本願の実施例で言及されるこの制約条件は、第１のチャネルを伝送する時間ユニットに対する制約を示すために使用され、ある時間ユニットがこの制約条件を満たすことは、第１のチャネルを送信するために選択され得る。
【００６２】
任意選択で、前記制約条件は、前記時間ユニットにおいて前記１つの第１のチャネルを伝送するための物理リソース、前記時間ユニットにおいて伝送する前記１つの第１のチャネルの以外のチャネルのうちの少なくとも１つに対する制約である。
【００６３】
具体的には、ある時間において、１つの第１のチャネルの伝送に使用可能な物理リソース及び/又は１つの第１のチャネル以外の伝送に使用可能なチャネルが制約条件を満たす場合に、時間ユニットを当該１つの第１のチャネルの伝送に選択することができる。
【００６４】
任意選択で、時間ユニットにおいて１つの第１のチャネルを伝送するための物理リソースに対する制約は、前記時間ユニットにおいて前記１つの第１のチャネルを伝送するための物理リソースの数に対する制約を含む。
【００６５】
ここで、当該物理リソースの数は、第１のチャネルを伝送するために使用され得る時間領域リソース、第１のチャネルを送信する周波数領域リソース、及び/又は第１のチャネル単位を指すことができる。
【００６６】
任意選択で、時間領域リソースは、時間領域シンボル数などであり得る。
【００６７】
任意選択で、周波数領域リソースは、サブバンド数又は帯域幅などであってもよい。
【００６８】
任意選択で、第１のチャネル単位は、第１のチャネル伝送に使用され得る最小単位を指し、例えば、第１のチャネルがPUSCHであるとき、第１のチャネル単位は、物理リソースブロック( Ｐｈｙｓｉｃａｌ Ｒｅｓｏｕｒｃｅ Ｂｌｏｃｋ、ＰＲＢ )であり得る。
【００６９】
任意選択で、第１のチャネル単位によって送信される情報は、独立して符号化され、復号され得る。
【００７０】
任意選択で、第１のチャネル単位は、基準信号を含み、制御及び/又はデータ情報を含み得る。
【００７１】
任意選択で、ネットワークデバイスは、第１のチャネル単位を構成することができ、例えば、各時間ユニット内で送信に使用可能な第１のチャネル単位の数を構成することができ、又は、第１のチャネル単位のサイズを構成することができ、又は、時間ユニット内の第１のチャネル単位の位置を構成することができ、又は、基準信号、制御及び/又はデータ情報を送信するチャネル単位内の位置を構成することができる。
【００７２】
任意選択で、本願の実施例において、前記制約条件を満たしている各前記時間ユニットにおいて前記第１のチャネルを伝送するための物理リソースの数は、所定の値の以上である。
【００７３】
ある実現可能な方式において、前記制約条件を満たしている各前記時間ユニットに前記１つの第１のチャネルを伝送するための時間領域シンボルの数が、第１の所定の値の以上であり、当該第１の所定の値は、正の整数であっても良い。
【００７４】
例えば、第１のチャネルが、Ｎ＝４スロットを占有して伝送される上り制御チャネルであり、制限条件が、時間ユニットに含まれる上り時間領域シンボル数が４以上であることであるとする。図３に記載されているように、端末は、タイムスロットｎ、ｎ＋１、ｎ＋４、ｎ＋５を用いて、前記上り制御チャネルをスロットアグリゲーションして伝送する。
【００７５】
ある実現可能な方式において、前記制約条件を満たしている各前記時間ユニットに前記１つの第１のチャネルを伝送するための時間領域シンボルの数が、前記第１の所定の値の以上であり、且つ前記１つの第１のチャネルを伝送するための周波数領域リソースの数が、第２の所定の値の以上であり、当該第１の所定の値と当該第２の所定の値は、正の整数であっても良い。
【００７６】
ある実現可能な方式において、前記制約条件を満たしている各前記時間ユニットに伝送するための第１のチャネルユニットの数が、第３の所定の値の以上である、当該第３の所定の値は、正の整数であっても良い。
【００７７】
例えば、第１チャネルが上り制御チャネルであると仮定し、制限条件は、時間ユニットで少なくとも１つの第１チャネル単位が伝送され得ることである。第１のチャネル単位は、２つの時間領域シンボルを含み、前記上り制御チャネルは、Ｎ＝4個のタイムスロットを占有して伝送される。図４に記載されているように、端末は、タイムスロットｎ、ｎ＋1、ｎ＋４、ｎ＋５を用いて、前記上り制御チャネルをスロットアグリゲーションして伝送する。
【００７８】
任意選択で、該第１のチャネル単位の数が第３の所定の値以上であるとは、選択された時間ユニットに含まれる第１のチャネル単位の数が該第３の所定の値以上であればよく、選択された時間ユニットに含まれるチャネル単位の数は正の整数でなくてもよい。
【００７９】
任意選択で、ネットワークデバイスは、物理リソースの数の所定の値を構成してもよく、例えば、第１の所定の値、第２の所定の値、または第３の所定の値を構成してもよい。
【００８０】
本発明の実施例において、１つの第１チャネルの送信に使用可能な物理リソースに対する制約は、物理リソースのリソース位置に対する制約のように、数の以外の制限であっても良く、物理リソースのリソース位置を制限することでチャネル伝送間の干渉を回避することができる。
【００８１】
任意選択で、前記時間ユニットにおいて伝送する前記１つの第１のチャネルの以外のチャネルに対する制約は、前記時間ユニットにおいて伝送する前記１つの第１のチャネルの以外のチャネルが前記１つの第１のチャネルの優先度に対する制約を含む。
【００８２】
任意選択で、前記制約条件を満たしている前記時間ユニットにおいて伝送する前記１つの第１のチャネルの以外のチャネルの優先度が、前記１つの第１のチャネルよりも低い。
【００８３】
例えば、第１のチャネルが上り制御チャネルであり、前記上り制御チャネルは、エンハンスメントモバイルインターネット( Ｅｎｈａｎｃｅ Ｍｏｂｉｌｅ Ｂｒｏａｄｂａｎｄ、ｅＭＢＢ )サービス対するＡＣＫ / ＮＡＣＫ情報の伝送に使用され、システムにおいて、低遅延高信頼シナリオ( Ｕｌｔｒａ−ｒｅｌｉａｂｌｅ ａｎｄ ｌｏｗ ｌａｔｅｎｃｙ ｃｏｍｍｕｎｉｃａｔｉｏｎｓ、ＵＲＬLC )サービスに対する決定/否定( Ａｃｋｎｏｗｌｅｄｇｅ、Ｎｏｎ−Ａｃｋｎｏｗｌｅｄｇｅ、ＡＣＫ / ＮＡＣＫ )情報の伝送が規定されている上り制御チャネルの優先度が、前記第１のチャネルよりも高く、制限条件は、時間ユニットで他のより高い優先度のチャネルの伝送がないこと、及び、第１のチャネルがＮ＝４つのタイムスロットを占有して伝送されることである。図５に示すように、端末デバイスは、タイムスロットｎ、ｎ＋１、ｎ＋４、ｎ＋５を用いて、上り制御チャネルをスロットアグリゲーションして伝送する。
【００８４】
任意選択で、チャネル間の優先順位は可変であってもよく、例えばサービスの伝搬状況に応じて変更してもよい。
【００８５】
任意選択で、チャネル間の優先順位は、現在のサービスの伝送状況に応じて端末デバイスが決定してもよいし、ネットワークデバイスが構成してもよい。
【００８６】
任意選択で、時間の単位内で伝送される、１つの第１のチャネル以外のチャネルの制約は、時間の単位内で送信される、１つの第１のチャネル以外のチャネルのタイプの制約および/またはチャネル数の制約をさらに含み得る。
【００８７】
例えば、ある第１のチャネルを送信する時間ユニットが、あるタイプのチャネルを必ず含むか、含まないとする制限がある。
【００８８】
例えば、１つの第１のチャネルを伝送する時間ユニットで送信する他のチャネルの数が一定数以上とならないように制限する。
【００８９】
任意選択で、本願の実施例に記載の制約条件は、前記時間ユニットにおいて前記１つの第１のチャネルを伝送するための物理リソースと前記時間ユニットにおいて伝送する前記１つの第１のチャネルの以外のチャネルを同時に制約しても良い。
【００９０】
例えば、第１のチャネルを、ｅＭＢＢサービスに対するＡＣＫ / ＮＡＣＫ情報を伝送する上り制御チャネルとし、システムにおいてＵＲＬＬＣサービスに対するＡＣＫ / ＮＡＣＫ情報を伝送する第２のタイプの上り制御チャネルは、前記第１のチャネルよりも優先度が高く、制約条件は、時間ユニットに含まれる上り時間領域シンボル数が４以上で、かつ、時間ユニットに他のより高い優先度のチャネルが伝送されないことであり、前記上り制御チャネルは、Ｎ＝４スロットを占有して伝送される。図６に示すように、端末デバイスは、第１のチャネルを、ｎ、ｎ＋１、ｎ＋５、ｎ＋６のタイムスロットを使用してスロットアグリゲーションして伝送する。
【００９１】
任意選択で、端末デバイスが前記第１の時間ユニットから、前記制約条件に基づいて特定の数の前記時間ユニットを確定する。
【００９２】
任意選択で、当該特定の数は、ネットワークデバイスにより構成され、又は、予め設定される。
【００９３】
任意選択で、この特定の数は、伝送されるチャネルのタイプに関連してもよく、例えば、伝送されるチャネルがＰＵＳＣＨについて選択される時間ユニットの数であって、伝送されるチャネルがＰＵＣＣＨについて選択される時間ユニットの数とは異なる。
【００９４】
任意選択で、この特定の数は、伝送されるチャネルに載せられる情報量に関連してもよく、例えば、伝送されるチャネルに載せられる情報量が多い場合には、選択される時間ユニットの数は多くてもよい。
【００９５】
任意選択で、端末デバイスは、時間ユニットを選択する際に、選択する時間ユニットの数を特に限定しなくてもよい。
【００９６】
例えば、選択された時間ユニットは、第１の時間ユニットから、チャネル単位の数の合計が所定値よりも大きい。
【００９７】
任意選択で、本願の実施例において、ネットワークデバイスは、あるチャネルを複数の時間ユニットで送信するか否かを設定する端末デバイスを構成することができる。
【００９８】
任意選択で、端末デバイスは、現在のサービスの送信状況から、複数の時間ユニットで第１のチャネルを送信するか否かを自ら判断してもよい。
【００９９】
任意選択で、本願の実施例は、１つのチャネルが複数の時間ユニットで伝送される方式を、時間ユニット集約を用いて伝送される方式、例えば、１つのチャネルがスロットアグリゲーション方式で伝送される、又は、１つのチャネルがサブフレームアグリゲーション方式で伝送される。
【０１００】
２２０において、前記複数の時間ユニットにおいて、前記端末デバイスが前記ネットワークデバイスに１つの第１のチャネルを送信する。
【０１０１】
任意選択で、前記端末デバイスが前記複数の時間ユニットにおいて同じ周波数領域リソースを利用して前記１つの第１のチャネルを伝送する。
【０１０２】
任意選択で、前記端末デバイスが前記複数の時間ユニットの１番目の時間ユニットにおいて第１の周波数領域リソースを使用して、前記複数の時間ユニットの前記１番目の時間ユニット以外の時間ユニットにおいて第２の周波数領域リソースを利用して前記１つの第１のチャネルを伝送し、前記第２の周波数領域リソースが前記第１の周波数領域リソースに基づいて確定される。
【０１０３】
例えば、確定された複数の時間ユニットのうちの１番目の時間ユニットに対して第１の周波数領域リソースを採用し、後続の各時間ユニットは、所定のオフセット値を順次加算して周波数領域リソースを選択することができる。
【０１０４】
あるいは、確定された複数の時間ユニットのうちの１番目の時間ユニットに対して第１の周波数領域リソースを採用し、後続の各時間ユニットは、特定の周波数ホッピング（ｈｏｐｐｉｎｇ）方式に従って周波数領域リソースを選択することができる。
【０１０５】
任意選択で、本願の実施例において、１つのチャネルは、送信側でソースコーディング、チャネルコーディング、レートマッチングおよび変調マッピングを含んで伝送された１回の伝送に含まれる情報を含んでもよく、それに対応して、受信側で、デマッピング、デレートマッチング、チャネルコーディングおよびソースコーディング出力シンクを含んでもよい。
【０１０６】
任意選択で、本願の実施例において、１つの第１のチャネルが複数の時間ユニットにわたって送信されることは、各時間ユニットで送信される第１のチャネルの異なる部分の情報であり得る。
【０１０７】
任意選択で、１つの第１のチャネルを複数の時間ユニットで送信することは、第１のチャネルを繰り返し送信することであってもよい。ここで、繰り返し送信される第１のチャネルは、１回の符号化、レート整合及び変調マッピングを経てもよいし、複数回の符号化、レート整合及び変調マッピングを経てもよい。
【０１０８】
図７は本願の実施例における無線通信方法３００のフローチャートである。図７に示すように、当該無線通信方法３００は以下のステップを含む。
【０１０９】
３１０において、ネットワークデバイスが第１の時間ユニットから、制約条件に基づいて複数の時間ユニットを確定し、前記複数の時間ユニットは、前記１つの第１のチャネルを伝送するために使用される。
【０１１０】
任意選択で、前記制約条件は、前記時間ユニットにおいて前記１つの第１のチャネルを伝送するための物理リソース、前記時間ユニットに前記端末デバイスが伝送する前記１つの第１のチャネルの以外のチャネルのうちの少なくとも１つに対する制約を含む。
【０１１１】
任意選択で、前記時間ユニットにおいて前記１つの第１のチャネルを伝送するための物理リソースに対する制約は、前記時間ユニットにおいて前記１つの第１のチャネルを伝送するための物理リソースの数に対する制約を含む。
【０１１２】
任意選択で、前記制約条件を満たしている各前記時間ユニットに前記１つの第１のチャネルを伝送するための物理リソースの数は、所定の値の以上である。
【０１１３】
任意選択で、前記ネットワークデバイスが前記端末デバイスに第２の構成情報を送信することを含み、前記第２の構成情報は、前記所定の値を示す。
【０１１４】
任意選択で、前記制約条件を満たしている各前記時間ユニットに前記１つの第１のチャネルを伝送するための時間領域シンボルの数が、第１の所定の値の以上であり、又は、
前記制約条件を満たしている各前記時間ユニットに前記１つの第１のチャネルを伝送するための時間領域シンボルの数が、前記第１の所定の値の以上であり、且つ前記１つの第１のチャネルを伝送するための周波数領域リソースの数が、第２の所定の値の以上であり、又は、
前記制約条件を満たしている各前記時間ユニットに前記１つの第１のチャネルを伝送するための第１のチャネルユニットの数は、第３の所定の値の以上である。
【０１１５】
任意選択で、前記第１のチャネルユニットには、基準信号、制御及び／又はデータ情報が含まれる。
【０１１６】
任意選択で、前記ネットワークデバイスが前記端末デバイスに第１の構成情報を送信することを含み、前記第１の構成情報は、前記第１のチャネルユニットを構成するために使用される。
【０１１７】
任意選択で、前記時間ユニットにおいて前記端末デバイスが伝送する前記１つの第１のチャネルの以外のチャネルに対する制約は、前記時間ユニットに前記端末デバイスが伝送する前記１つの第１のチャネルの以外のチャネルが前記１つの第１のチャネルの優先度に対する制約を含む。
【０１１８】
任意選択で、前記制約条件を満たしている前記時間ユニットに前記端末デバイスが伝送する前記１つの第１のチャネルの以外のチャネルの優先度は、前記１つの第１のチャネルよりも低い。
【０１１９】
任意選択で、前記ネットワークデバイスが前記第１の時間ユニットから、前記制約条件に基づいて特定の数の前記時間ユニットを確定することを含む。
【０１２０】
任意選択で、前記ネットワークデバイスが前記端末デバイスに第３の構成情報を送信することを含み、前記第３の構成情報は、前記特定の数を示す。
【０１２１】
任意選択で、前記ネットワークデバイスが前記端末デバイスに第４の構成情報を送信することを含み、前記第４の構成情報は、前記端末デバイスが複数の前記時間ユニットを利用して前記１つの第１のチャネルを伝送するように指示する。
【０１２２】
３２０において、前記複数の時間ユニットにおいて、前記ネットワークデバイスが端末デバイスにより送信された前記１つの第１のチャネルを受信する。
【０１２３】
任意選択で、前記ネットワークデバイスが前記複数の時間ユニットにおいて同じ周波数領域リソースを利用して前記第１のチャネルを受信すること、又は、
前記ネットワークデバイスが前記複数の時間ユニットの１番目の時間ユニットにおいて第１の周波数領域リソースを利用して、前記複数の時間ユニットの前記１番目の時間ユニットの以外の時間ユニットにおいて第２の周波数領域リソースを利用して前記１つの第１のチャネルを受信することを含み、ここで、前記第２の周波数領域リソースが前記第１の周波数領域リソースに基づいて確定される。
【０１２４】
任意選択で、前記時間ユニットは、タイムスロット、サブフレームまたはフレームである。
【０１２５】
なお、当該方法３００は方法２００の特徴と結合しても良い。
【０１２６】
そして、本願の実施例において、端末デバイスが第１の時間ユニットから、制約条件に基づいて複数の時間ユニットを確定し、前記複数の時間ユニットは、前記１つの第１のチャネルを伝送するために使用され、前記複数の時間ユニットにおいて、前記端末デバイスが前記ネットワークデバイスに１つの第１のチャネルを送信し、動的に時間ユニットを選択することができ、固定の時間ユニットでチャネル伝送を行うことを回避し、チャネルの占有する時間領域リソースの大きさが異なるシーンに適用することができ、チャネル伝送の柔軟性を高めることができる。
【０１２７】
たとえば、長いＰＵＣＣＨおよび短ＰＵＣＣＨを含むシナリオに適用可能であり得、ここで、長いＰＵＣＣＨは、１または２個の時間領域シンボルを含むことができ、短ＰＵＣＣＨは、４〜１４個の時間領域シンボルを含むことができる。
【０１２８】
さらに、端末デバイスの送信電力が制限されている場合には、１つのチャネルを送信する時間ユニットを複数選択することができる。
【０１２９】
例えば、端末デバイスの送信電力が制限されている場合には、複数のタイムスロットを選択して同一の上り制御チャネルを送信することができる。
【０１３０】
図８は本願の実施例における端末デバイス４００のブロック図である。図８に示すように、当該端末デバイスは処理ユニット４１０及び通信ユニット４２０を含む。ここで、
前記処理ユニット４１０は、第１の時間ユニットから、制約条件に基づいて複数の時間ユニットを確定するように構成され、前記複数の時間ユニットは、前記１つの第１のチャネルを伝送するために使用される、
前記通信ユニット４２０は、前記複数の時間ユニットにおいて、前記ネットワークデバイスに前記１つの第１のチャネルを送信するように構成される。
【０１３１】
任意選択で、この端末デバイス４００は、方法２００において端末デバイスによって実施される様々な動作のために使用されてもよく、簡潔のためにここでは詳しい説明を省略する。
【０１３２】
図９は本願の実施例におけるネットワークデバイス５００のブロック図である。図９に示すように、当該ネットワークデバイスは処理ユニット５１０及び通信ユニット５２０を含む。
【０１３３】
ここで、前記処理ユニット５１０は、第１の時間ユニットから、制約条件に基づいて複数の時間ユニットを確定するように構成され、前記複数の時間ユニットは、前記１つの第１のチャネルを伝送するために使用される。
【０１３４】
前記通信ユニット５２０は、前記複数の時間ユニットにおいて、端末デバイスにより送信された前記１つの第１のチャネルを受信するように構成される。
【０１３５】
任意選択で、このネットワークデバイス５００は、方法３００においてネットワークデバイスによって実施される様々な動作のために使用されてもよく、簡潔のためにここでは詳しい説明を省略する。
【０１３６】
図１０は、本実施例のシステムチップ６００の概略構成図である。図１０のシステムチップ６００は、入力インターフェース６０１、出力インターフェース６０２、メモリ５０４内のコードを実行するプロセッサ６０３、及びメモリ６０４を含み、それらは内部通信接続線によって接続することができる。
【０１３７】
任意選択で、コードが実行されると、プロセッサ６０３は、方法の実施例においてネットワークデバイスによって実行される方法を実施する。簡潔にするために、ここでは繰り返し説明を省略する。
【０１３８】
任意選択で、コードが実行されると、プロセッサ６０３は、方法の実施例において端末デバイスによって実行される方法を実施する。簡潔にするために、ここでは繰り返し説明しない。
【０１３９】
図１１は、本発明の実施例による通信デバイス７００の概略ブロック図である。図１１に示すように、通信デバイス７００は、プロセッサ７１０と、メモリ７２０とを有する。メモリ７２０は、プロセッサ７１０がメモリ７２０に記憶されたプログラムコードを実行することができるプログラムコードを記憶することができる。
【０１４０】
任意選択で、図１１に示すように、通信デバイス７００は、プロセッサ７１０が外部と通信するように制御することができる送受信機７３０を含んでもよい。
【０１４１】
任意選択で、プロセッサ７１０は、メモリ７２０に記憶されたプログラムコードを呼び出して、方法の実施例におけるネットワークデバイスの対応する動作を実行してもよく、簡潔のためにここでは詳しい説明を省略する。
【０１４２】
任意選択で、プロセッサ７１０は、メモリ７２０に記憶されたプログラムコードを呼び出して、方法の実施例における端末デバイスの対応する動作を実行してもよく、簡潔のためにここでは詳しい説明を省略する。
【０１４３】
本願の実施例のプロセッサは、信号の処理能力を有する集積回路チップであり得ることが理解される。実施において、上述した方法の実施例のステップは、プロセッサ内のハードウェアの集積論理回路またはソフトウェア形態の命令によって実行されてもよい。上記のプロセッサは、汎用プロセッサ、デジタル信号プロセッサ( Ｄｉｇｉｔａｌ Ｓｉｇｎａｌ Ｐｒｏｃｅｓｓｏｒ、ＤＳＰ )、特定用途向け集積回路( Ａｐｐｌｉｃａｔｉｏｎ Ｓｐｅｃｉｆｉｃ Ｉｎｔｅｇｒａｔｅｄ Ｃｉｒｃｕｉｔ、ＡＳＩＣ )、既存のプログラマブルゲートアレイ( Ｆｉｅｌｄ Ｐｒｏｇｒａｍｍａｂｌｅ Ｇａｔｅ Ａｒｒａｙ、ＦＰＧＡ )又は他のプログラマブル論理デバイス、ディスクリートゲート又はトランジスタロジック、ディスクリートハードウェアコンポーネントであってもよい。本出願の実施例に開示された方法、ステップ、及び論理ブロック図は、実施され得るか、又は実行され得る。汎用プロセッサはマイクロプロセッサであってもよく、プロセッサは任意の従来のプロセッサなどであってもよい。本願の実施例に関連して開示される方法のステップは、ハードウェアデコーディングプロセッサ実行として直接的に、または、デコーディングプロセッサ内のハードウェアおよびソフトウェアモジュールの組み合わせで実行されるとして具現化され得る。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当技術分野で熟練した記憶媒体内に配置され得る。この記憶媒体は、メモリに位置し、プロセッサは、メモリ内の情報を読み取り、ハードウェアとともに上述した方法のステップを実行する。
【０１４４】
本発明の実施例におけるメモリは、揮発性メモリ又は不揮発性メモリであってもよく、或いは揮発性メモリ及び不揮発性メモリの両方を含んでもよいことが理解される。ここで、不揮発性メモリは、リードオンリーメモリ( Ｒｅａｄ−Ｏｎｌｙ Ｍｅｍｏｒｙ、ＲＯＭ )、プログラマブルリードオンリーメモリ( Ｐｒｏｇｒａｍｍａｂｌｅ ＲＯＭ、ＰＲＯＭ )、消去可能プログラマブルリードオンリーメモリ( Ｅｒａｓａｂｌｅ ＰＲＯＭ、ＥＰＲＯＭ )、電気的消去可能プログラマブルリードオンリーメモリ( Ｅｌｅｃｔｒｉｃａｌｌｙ ＥＰＲＯＭ、ＥＥＰＲＯＭ )、またはフラッシュメモリであってもよい。揮発性メモリは、外部キャッシュとして使用されるランダムアクセスメモリ( Ｒａｎｄｏｍ Ａｃｃｅｓｓ Ｍｅｍｏｒｙ、ＲＡＭ )であってよい。限定ではなく例として、ＲＡＭは、スタティックランダムアクセスメモリ( Ｓｔａｔｉｃ ＲＡＭ、ＳＲＡＭ ）、ダイナミックランダムアクセスメモリ（ Ｄｙｎａｍｉｃ ＲＡＭ、ＤＲＡＭ )、シンクロナスダイナミックランダムアクセスメモリ( Ｓｙｎｃｈｒｏｎｏｕｓ ＤＲＡＭ、ＳＤＲＡＭ ）、ダブルデータレートシンクロナスダイナミックランダムアクセスメモリ( Ｄｏｕｂｌｅ Ｄａｔａ Ｒａｔｅ ＳＤＲＡＭ、ＤＤＲ ＳＤＲＡＭ ）、エンハンスメント型シンクロナスダイナミックランダムアクセスメモリ( Ｅｎｈａｎｃｅｄ ＳＤＲＡＭ、ＥＳＤＲＡＭ ）、シンクロナス接続ダイナミックランダムアクセスメモリ（ Ｓｙｎｃｈｌｉｎｋ ＤＲＡＭ、ＳＬＤＲＡＭ )、及びダイレクトメモリバスランダムアクセスメモリ( Ｄｉｒｅｃｔ  Ｒａｍｂｕｓ  ＲＡＭ、ＤＲ ＲＡＭ )など、多くの形態で利用可能である。本明細書に記載のシステム及び方法のメモリは、これら及び任意の他の適切なタイプのメモリを含むことが意図されているが、これらに限定されないことに留意されたい。当業者は、本明細書に開示される実施例に関連して説明される様々な例のユニットおよびアルゴリズムステップが、電子ハードウェア、またはコンピュータソフトウェアと電子ハードウェアとの組合せで実装され得ることを認識するであろう。これらの機能は、技術案の特定の適用例および設計制約に応じて、ハードウェアまたはソフトウェアのいずれで実行されるかに依存する。当業者は、説明された機能を実施するために、特定のアプリケーションごとに異なる方法を使用し得るが、そのような実施は、本開示の範囲から逸脱するものと考えられるべきではない。
【０１４５】
当業者であれば、説明の便宜及び簡潔にするために、上記に説明されたシステム、装置及びユニットの特定の動作プロセスが、前述の方法の実施例における対応するプロセスを参照してよく、ここでその説明が省略されることを理解するであろう。
【０１４６】
本明細書で提供されるいくつかの実施例では、開示されるシステム、装置、および方法は、他の方法で実現されてもよいことが理解されるべきである。例えば、上記の装置の実施例は、単に例示的なものであり、例えば、ユニットの分割は、１つの論理的機能の分割にすぎず、実際の実装では、別の分割方法があり得、例えば、複数のユニット又はコンポーネントが、組み合わされてもよいし、別のシステムに統合されてもよいし、又はいくつかの特徴が省略されてもよいし、又は実行されなくてもよい。別の点では、表示または議論される相互間の結合または直接的な結合または通信接続は、何らかのインターフェース、デバイスまたはユニットを介した間接的な結合または通信接続であってもよく、電気的、機械的、または他の形態であってもよい。
【０１４７】
上記分離手段として説明したユニットは、物理的に分離していてもいなくてもよく、ユニットとして表示する手段は、物理的なユニットであってもなくてもよく、１箇所にあってもよく、あるいは複数のネットワークユニットに分散していてもよい。また、本実施例の目的は、必要に応じて各部の一部又は全部を選択して実施することができる。
【０１４８】
また、本発明の各実施例における各機能部は、１つの処理部に集積されてもよいし、各部は、物理的に別個に存在してもよいし、２つ以上の部が１つの部に集積されてもよい。
【０１４９】
また、ソフトウェア的な機能単位で実現され、独立した製品として販売又は使用される場合には、コンピュータ読み取り可能な記録媒体に格納されてもよい。このような理解に基づいて、本発明の技術的解決策の本質または従来技術に寄与する部分、または本発明の技術的解決策の部分は、１つのコンピュータデバイス(パーソナルコンピュータ、サーバ、またはネットワークデバイスなどであり得る)に本発明の様々な実施例に記載された方法のステップの全てまたは一部を実行させるための複数の命令を含む１つの記憶媒体に記憶されたソフトウェア製品の形態で具現化され得る。
【０１５０】
以上、本発明の具体的な実施例を説明したが、本発明の技術的範囲はこれに限定されるものではなく、本発明が属する技術分野で通常の知識を有する者であれば、本発明の技術的範囲内で容易に変更や置換をなし得ることは勿論である。したがって、本発明の保護範囲は、特許請求の範囲によって定義されるべきである。
【図１】
2020528229.tif 000003
【図２】
2020528229.tif 000004
【図３】
2020528229.tif 000005
【図４】
2020528229.tif 000006
【図５】
2020528229.tif 000007
【図６】
2020528229.tif 000008
【図７】
2020528229.tif 000009
【図８】
2020528229.tif 000010
【図９】
2020528229.tif 000011
【図１０】
2020528229.tif 000012
【図１１】
2020528229.tif 000013
【手続補正書】
【提出日】令和2年5月12日(2020.5.12)
【手続補正１】
【補正対象書類名】明細書
【補正対象項目名】全文
【補正方法】変更
【補正の内容】
【発明の詳細な説明】
【技術分野】
【０００１】
本願は、通信分野に関し、具体的に、無線通信方法及びデバイスに関する。
【背景技術】
【０００２】
現在の新しい無線( ＮＲ、Ｎｅｗ Ｒａｄｉｏ )システムでは、チャネル伝送に対する柔軟性の要求が高く、例えば、端末デバイスの現在の送信電力の制限のため、より柔軟なチャネル伝送が望まれている。
【０００３】
従って、チャネル伝送の柔軟性をいかに高めるかが、解決すべき課題である。
【発明の概要】
【０００４】
本願の実施例は、チャネル伝送の柔軟性を向上させる無線通信方法及びデバイスを提供する。
【０００５】
第１の態様は、無線通信方法を提供し、
端末デバイスが第１の時間ユニットから、制約条件に基づいて複数の時間ユニットを確定することと、
前記複数の時間ユニットにおいて、前記端末デバイスが前記ネットワークデバイスに１つの第１のチャネルを送信することとを含み、
前記複数の時間ユニットは、前記１つの第１のチャネルを伝送するために使用される。
【０００６】
第１の態様と結合し、第１の態様の実現可能な方式において、前記制約条件は、前記時間ユニットにおいて前記１つの第１のチャネルを伝送するための物理リソース、前記時間ユニットにおいて伝送する前記１つの第１のチャネルの以外のチャネルのうちの少なくとも１つに対する制約である。
【０００７】
第１の態様又は上記のいずれか実現可能な方式と結合し、第１の態様の他の実現可能な方式において、前記時間ユニットにおいて前記１つの第１のチャネルを伝送するための物理リソースに対する制約は、前記時間ユニットにおいて前記１つの第１のチャネルを伝送するための物理リソースの数に対する制約を含む。
【０００８】
第１の態様又は上記のいずれか実現可能な方式と結合し、第１の態様の他の実現可能な方式において、前記制約条件を満たしている各前記時間ユニットにおいて前記第１のチャネルを伝送するための物理リソースの数は、所定の値の以上である。
【０００９】
第１の態様又は上記のいずれか実現可能な方式と結合し、第１の態様の他の実現可能な方式において、
前記制約条件を満たしている各前記時間ユニットに前記１つの第１のチャネルを伝送するための時間領域シンボルの数が、第１の所定の値の以上であり、又は、
前記制約条件を満たしている各前記時間ユニットに前記１つの第１のチャネルを伝送するための時間領域シンボルの数が、前記第１の所定の値の以上であり、且つ前記１つの第１のチャネルを伝送するための周波数領域リソースの数が、第２の所定の値の以上であり、又は、
前記制約条件を満たしている各前記時間ユニットに伝送するための第１のチャネルユニットの数が、第３の所定の値の以上である。
【００１０】
第１の態様又は上記のいずれか実現可能な方式と結合し、第１の態様の他の実現可能な方式において、前記第１のチャネルユニットには、基準信号、制御及び／又はデータ情報が含まれる。
【００１１】
第１の態様又は上記のいずれか実現可能な方式と結合し、第１の態様の他の実現可能な方式において、前記方法は、さらに、
前記端末デバイスが前記ネットワークデバイスにより送信された第１の構成情報を受信することを含み、前記第１の構成情報は、前記第１のチャネルユニットを構成するために使用される。
【００１２】
第１の態様又は上記のいずれか実現可能な方式と結合し、第１の態様の他の実現可能な方式において、前記方法は、さらに、
前記端末デバイスが前記ネットワークデバイスにより送信された第２の構成情報を受信することを含み、前記第２の構成情報は、前記所定の値を示す。
【００１３】
第１の態様又は上記のいずれか実現可能な方式と結合し、第１の態様の他の実現可能な方式において、前記時間ユニットにおいて伝送する前記１つの第１のチャネルの以外のチャネルに対する制約は、前記時間ユニットにおいて伝送する前記１つの第１のチャネルの以外のチャネルが前記１つの第１のチャネルの優先度に対する制約を含む。
【００１４】
第１の態様又は上記のいずれか実現可能な方式と結合し、第１の態様の他の実現可能な方式において、前記制約条件を満たしている前記時間ユニットにおいて伝送する前記１つの第１のチャネルの以外のチャネルの優先度が、前記１つの第１のチャネルよりも低い。
【００１５】
第１の態様又は上記のいずれか実現可能な方式と結合し、第１の態様の他の実現可能な方式において、前記端末デバイスが第１の時間ユニットから、制約条件に基づいて複数の時間ユニットを確定することは、
前記端末デバイスが前記第１の時間ユニットから、前記制約条件に基づいて特定の数の前記時間ユニットを確定することを含む。
【００１６】
第１の態様又は上記のいずれか実現可能な方式と結合し、第１の態様の他の実現可能な方式において、前記方法は、さらに、
前記端末デバイスが前記ネットワークデバイスにより送信された第３の構成情報を受信することを含み、前記第３の構成情報は、前記特定の数を示す。
【００１７】
第１の態様又は上記のいずれか実現可能な方式と結合し、第１の態様の他の実現可能な方式において、前記方法は、さらに、
前記端末デバイスが前記ネットワークデバイスにより送信された第４の構成情報を受信することを含み、前記第４の構成情報は、前記端末デバイスが複数の前記時間ユニットを利用して前記１つの第１のチャネルを伝送するように指示する。
【００１８】
第１の態様又は上記のいずれか実現可能な方式と結合し、第１の態様の他の実現可能な方式において、前記複数の時間ユニットにおいて、前記端末デバイスが前記ネットワークデバイスに１つの第１のチャネルを送信することは、
前記端末デバイスが前記複数の時間ユニットにおいて同じ周波数領域リソースを利用して前記１つの第１のチャネルを伝送すること、又は、
前記端末デバイスが前記複数の時間ユニットの１番目の時間ユニットにおいて第１の周波数領域リソースを使用して、前記複数の時間ユニットの前記１番目の時間ユニット以外の時間ユニットにおいて第２の周波数領域リソースを利用して前記１つの第１のチャネルを伝送し、前記第２の周波数領域リソースが前記第１の周波数領域リソースに基づいて確定されることを含む。
【００１９】
第１の態様又は上記のいずれか実現可能な方式と結合し、第１の態様の他の実現可能な方式において、前記時間ユニットは、タイムスロット、サブフレームまたはフレームである。
【００２０】
第２の態様は、無線通信方法を提供し、
ネットワークデバイスが第１の時間ユニットから、制約条件に基づいて複数の時間ユニットを確定することと、
前記複数の時間ユニットにおいて、前記ネットワークデバイスが端末デバイスにより送信された前記１つの第１のチャネルを受信することとを含み、前記複数の時間ユニットは、前記１つの第１のチャネルを伝送するために使用される。
【００２１】
第２の態様と結合し、第２の態様の実現可能な方式、前記制約条件は、前記時間ユニットにおいて前記１つの第１のチャネルを伝送するための物理リソース、前記時間ユニットに前記端末デバイスが伝送する前記１つの第１のチャネルの以外のチャネルのうちの少なくとも１つに対する制約を含む。
【００２２】
第２の態様又は上記のいずれか実現可能な方式と結合し、第２の態様の他の実現可能な方式において、前記時間ユニットにおいて前記１つの第１のチャネルを伝送するための物理リソースに対する制約は、前記時間ユニットにおいて前記１つの第１のチャネルを伝送するための物理リソースの数に対する制約を含む。
【００２３】
第２の態様又は上記のいずれか実現可能な方式と結合し、第２の態様の他の実現可能な方式において、前記制約条件を満たしている各前記時間ユニットに前記１つの第１のチャネルを伝送するための物理リソースの数は、所定の値の以上である。
【００２４】
第２の態様又は上記のいずれか実現可能な方式と結合し、第２の態様の他の実現可能な方式において、
前記制約条件を満たしている各前記時間ユニットに前記１つの第１のチャネルを伝送するための時間領域シンボルの数が、第１の所定の値の以上であり、又は、
前記制約条件を満たしている各前記時間ユニットに前記１つの第１のチャネルを伝送するための時間領域シンボルの数が、前記第１の所定の値の以上であり、且つ前記１つの第１のチャネルを伝送するための周波数領域リソースの数が、第２の所定の値の以上であり、又は、
前記制約条件を満たしている各前記時間ユニットに第１のチャネルユニットを伝送するための数が、第３の所定の値の以上である。
【００２５】
第２の態様又は上記のいずれか実現可能な方式と結合し、第２の態様の他の実現可能な方式において、前記第１のチャネルユニットには、基準信号、制御及び／又はデータ情報が含まれる。
【００２６】
第２の態様又は上記のいずれか実現可能な方式と結合し、第２の態様の他の実現可能な方式において、前記方法は、さらに、
前記ネットワークデバイスが前記端末デバイスに第１の構成情報を送信することを含み、前記第１の構成情報は、前記第１のチャネルユニットを構成するために使用される。
【００２７】
第２の態様又は上記のいずれか実現可能な方式と結合し、第２の態様の他の実現可能な方式において、前記方法は、さらに、
前記ネットワークデバイスが前記端末デバイスに第２の構成情報を送信することを含み、前記第２の構成情報は、前記所定の値を示す。
【００２８】
第２の態様又は上記のいずれか実現可能な方式と結合し、第２の態様の他の実現可能な方式において、前記時間ユニットにおいて前記端末デバイスが伝送する前記１つの第１のチャネルの以外のチャネルに対する制約は、前記時間ユニットに前記端末デバイスが伝送する前記１つの第１のチャネルの以外のチャネルが前記１つの第１のチャネルの優先度に対する制約を含む。
【００２９】
第２の態様又は上記のいずれか実現可能な方式と結合し、第２の態様の他の実現可能な方式において、前記制約条件を満たしている前記時間ユニットに前記端末デバイスが伝送する前記１つの第１のチャネルの以外のチャネルの優先度は、前記１つの第１のチャネルよりも低い。
【００３０】
第２の態様又は上記のいずれか実現可能な方式と結合し、第２の態様の他の実現可能な方式において、前記ネットワークデバイスが第１の時間ユニットから、制約条件に基づいて複数の時間ユニットを確定することは、
前記ネットワークデバイスが前記第１の時間ユニットから、前記制約条件に基づいて特定の数の前記時間ユニットを確定することを含む。
【００３１】
第２の態様又は上記のいずれか実現可能な方式と結合し、第２の態様の他の実現可能な方式において、前記方法は、さらに、
前記ネットワークデバイスが前記端末デバイスに第３の構成情報を送信することを含み、前記第３の構成情報は、前記特定の数を示す。
【００３２】
第２の態様又は上記のいずれか実現可能な方式と結合し、第２の態様の他の実現可能な方式において、前記方法は、さらに、
前記ネットワークデバイスが前記端末デバイスに第４の構成情報を送信することを含み、前記第４の構成情報は、前記端末デバイスが複数の前記時間ユニットを利用して前記１つの第１のチャネルを伝送するように指示する。
【００３３】
第２の態様又は上記のいずれか実現可能な方式と結合し、第２の態様の他の実現可能な方式において、前記複数の時間ユニットにおいて、前記ネットワークデバイスが前記端末デバイスにより送信された前記１つの第１のチャネルを受信することは、
前記ネットワークデバイスが前記複数の時間ユニットにおいて同じ周波数領域リソースを利用して前記第１のチャネルを受信すること、又は、
前記ネットワークデバイスが前記複数の時間ユニットの１番目の時間ユニットにおいて第１の周波数領域リソースを利用して、前記複数の時間ユニットの前記１番目の時間ユニットの以外の時間ユニットにおいて第２の周波数領域リソースを利用して前記１つの第１のチャネルを受信することを含み、ここで、前記第２の周波数領域リソースが前記第１の周波数領域リソースに基づいて確定される。
【００３４】
第２の態様又は上記のいずれか実現可能な方式と結合し、第２の態様の他の実現可能な方式において、前記時間ユニットは、タイムスロット、サブフレームまたはフレームである。
【００３５】
第３の態様は、上記の第１の態様または第１の態様の任意の可能な実装における方法を実行するための端末デバイスを提供する。具体的には、端末デバイスは、上記の第１の態様または第１の態様の任意の可能な実装形態における方法を実行するための機能モジュールを含む。
【００３６】
第４の態様は、上記の第２の態様または第２の態様の任意の可能な実装における方法を実行するためのネットワークデバイスを提供する。特に、ネットワークデバイスは、上記の第２の態様または第２の態様の任意の可能な実装形態における方法を実行するための機能モジュールを含む。
【００３７】
第５の態様は、プロセッサと、メモリと、送受信機とを含む端末デバイスを提供する。プロセッサ、メモリ、および送受信機は、内部接続経路を介して互いに通信し、制御信号および/またはデータ信号を通信し、端末デバイスに、上記の第１の態様または第１の態様の可能な実装形態のいずれかにおける方法を実行させる。
【００３８】
第６の態様では、プロセッサと、メモリと、送受信機とを含むネットワークデバイスが提供される。プロセッサ、メモリ、および送受信機は、内部接続経路を介して互いに通信し、制御信号および/またはデータ信号を通信し、ネットワークデバイスに、上記の第２の態様または第２の態様の可能な実装のいずれかにおける方法を実行させる。
【００３９】
第７の態様は、上記の第１の態様または第１の態様の任意の可能な実装を実行するための命令を含むコンピュータプログラムを記憶するためのコンピュータ可読媒体を提供する。
【００４０】
第８の態様は、上述の第２の態様または第２の態様の任意の可能な実装を実行するための命令を含むコンピュータプログラムを記憶するためのコンピュータ可読媒体を提供する。
【００４１】
第９の態様は、命令を備えるコンピュータプログラム製品を提供し、コンピュータ上で実行されると、コンピュータに、上述の第１の態様もしくは第１の態様の任意の１つの代替的な実装、または第２の態様もしくは第２の態様の任意の１つの代替的な実装における方法を実行させる。
【００４２】
そして、本願の実施例において、端末デバイスが第１の時間ユニットから、制約条件に基づいて複数の時間ユニットを確定し、前記複数の時間ユニットにおいて、前記端末デバイスが前記ネットワークデバイスに１つの第１のチャネルを送信し、前記複数の時間ユニットは、前記１つの第１のチャネルを伝送するために使用され、動的に時間ユニットを選択することができ、固定された１つの時間ユニットでチャネル伝送を行うことを回避し、チャネルの占有する時間領域リソースの大きさが異なるシーンに適用することができ、チャネル伝送の柔軟性を高めることができる。また、端末デバイスの送信電力が制限されている場合には、１つのチャネルを送信する時間ユニットを複数選択することができる。
【図面の簡単な説明】
【００４３】
本開示の上記および他の特徴およびメリットは、添付の図面を参照して詳細に説明する例示的な実施例により、より明らかになる。なお、以下の記載における図面はただ本発明の一部の実施例に過ぎず、当業者の場合、創造的な労働を付与しない前提で、これらの図面によって他の図面を得ることができる。
【図１】本願の実施例における無線通信システムの模式図である。
【図２】本願の実施例における無線通信方法のフローチャートである。
【図３】本願の実施例における時間領域リソース割り当ての模式図である。
【図４】本願の実施例における時間領域リソース割り当ての模式図である。
【図５】本願の実施例における時間領域リソース割り当ての模式図である。
【図６】本願の実施例における時間領域リソース割り当ての模式図である。
【図７】本願の実施例における無線通信方法のフローチャートである。
【図８】本願の実施例における端末デバイスのブロック図である。
【図９】本願の実施例におけるネットワークデバイスのブロック図である。
【図１０】本願の実施例におけるシステムチップのブロック図である。
【図１１】本願の実施例における通信デバイスのブロック図である。
【発明を実施するための形態】
【００４４】
以下、本発明の実施の形態について図面を参照して説明するが、本発明は、この実施の形態に限定されるものではなく、本発明の技術的思想に基づく各種の変形が可能である。本出願における実施例に基づいて、当業者が創造的な労働をすることなく得られる全ての他の実施例は、本出願の保護範囲に属する。
【００４５】
本願の実施例の技術的解決策は、例えば、全地球移動通信(Ｇｌｏｂａｌ  Ｓｙｓｔｅｍ  ｏｆ  Ｍｏｂｉｌｅ  ｃｏｍｍｕｎｉｃａｔｉｏｎ：ＧＳＭ )システム、符号分割多元接続(Ｃｏｄｅ  Ｄｉｖｉｓｉｏｎ  Ｍｕｌｔｉｐｌｅ  Ａｃｃｅｓｓ：ＣＤＭＡ)システム、広帯域符号分割多元接続(Ｗｉｄｅｂａｎｄ  Ｃｏｄｅ  Ｄｉｖｉｓｉｏｎ  Ｍｕｌｔｉｐｌｅ  Ａｃｃｅｓｓ：ＷＣＤＭＡ)システム、汎用パケット無線サービス(Ｇｅｎｅｒａｌ  Ｐａｃｋｅｔ  Ｒａｄｉｏ  Ｓｅｒｖｉｃｅ：ＧＰＲＳ)、ロングタームエボリューション(Ｌｏｎｇ  Ｔｅｒｍ  Ｅｖｏｌｕｔｉｏｎ：ＬＴＥ)システム、ＬＴＥ周波数分割複信(Ｆｒｅｑｕｅｎｃｙ  Ｄｉｖｉｓｉｏｎ  Ｄｕｐｌｅｘ：ＦＤＤ)システム、ＬＴＥ時分割複信(Ｔｉｍｅ  Ｄｉｖｉｓｉｏｎ  Ｄｕｐｌｅｘ：ＴＤＤ)、汎用移動通信システム(Ｕｎｉｖｅｒｓａｌ  Ｍｏｂｉｌｅ  Ｔｅｌｅｃｏｍｍｕｎｉｃａｔｉｏｎ  Ｓｙｓｔｅｍ：ＵＭＴＳ)、全地球相互接続マイクロ波アクセス(Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ：ＷｉＭＡＸ )通信システム、又は将来の５Ｇシステム等の様々な通信システムに適用可能であることが理解されるべきである。
【００４６】
図１は、本願の実施例が適用される無線通信システム１００を示す。無線通信システム１００は、ネットワークデバイス１１０を含み得る。ネットワークデバイス１００は、端末デバイスと通信するデバイスであってもよい。ネットワークデバイス１００は、特定の地理的エリアに通信カバレッジを提供し、カバレッジエリア内に配置されたＵＥなどの端末デバイスと通信し得る。任意選択で、ネットワークデバイス１００は、ＧＳＭシステムまたはＣＤＭＡシステムにおける基地局( Ｂａｓｅ Ｔｒａｎｓｃｅｉｖｅｒ Ｓｔａｔｉｏｎ：ＢＴＳ )、ＷＣＤＭＡシステムにおける基地局( ＮｏｄｅＢ：ＮＢ )、ＬＴＥシステムにおける発展型基地局( Ｅｖｏｌｕｔｉｏｎａｌ Ｎｏｄｅ Ｂ：ｅＮＢ、またはｅＮｏｄｅＢ )、またはクラウド無線アクセスネットワーク( Ｃｌｏｕｄ Ｒａｄｉｏ Ａｃｃｅｓｓ Ｎｅｔｗｏｒｋ：ＣＲＡＮ )における無線コントローラであってもよく、または中継局、アクセスポイント、車載装置、ウェアラブル装置、将来の５Ｇネットワークにおけるネットワーク側装置、または将来の公衆地上モバイルネットワーク( Ｐｕｂｌｉｃ Ｌａｎｄ Ｍｏｂｉｌｅ Ｎｅｔｗｏｒｋ：ＰＬＭＮ )におけるネットワークデバイスなどであってもよい。
【００４７】
当該無線通信システム１００は、ネットワークデバイス１１０のカバレージ内に配置された少なくとも１つの端末デバイス１２０をさらに含む。端末デバイス１２０は、移動型であってもよいし、固定型であってもよい。任意選択で、端末デバイス１２０は、アクセス端末、ユーザ機器( Ｕｓｅｒ Ｅｑｕｉｐｍｅｎｔ：ＵＥ )、ユーザ装置、ユーザ局、移動局、モバイル、リモート局、リモート端末、モバイル機器、ユーザ端末、無線通信機器、ユーザエージェント、またはユーザ装置を指し得る。アクセス端末は、セルラー電話、コードレス電話、セッション開始プロトコル( Ｓｅｓｓｉｏｎ Ｉｎｉｔｉａｔｉｏｎ Ｐｒｏｔｏｃｏｌ：ＳＩＰ )電話、ワイヤレスローカルループ( Ｗｉｒｅｌｅｓｓ Ｌｏｃａｌ Ｌｏｏｐ：ＷＬＬ )局、パーソナルデジタル処理( Ｐｅｒｓｏｎａｌ Ｄｉｇｉｔａｌ Ａｓｓｉｓｔａｎｔ：ＰＤＡ )、ワイヤレス通信機能を有するハンドヘルドデバイス、コンピューティングデバイス、またはワイヤレスモデムに接続された他の処理デバイス、車載デバイス、ウェアラブルデバイス、将来の５Ｇネットワークにおける端末デバイス、または将来開発されるＰＬＭＮにおける端末デバイスなどであり得る。
【００４８】
任意選択で、端末デバイス１２０間の端末直接接続( Ｄｅｖｉｃｅ ｔｏ Ｄｅｖｉｃｅ：Ｄ２Ｄ )通信が行われてもよい。
【００４９】
任意選択で、５Ｇシステム又はネットワークは、新たな無線( Ｎｅｗ Ｒａｄｉｏ：ＮＲ )システム又はネットワークと呼ばれることもある。
【００５０】
図１は、１つのネットワークデバイス及び２つの端末デバイスを例示的に示し、任意選択で、無線通信システム１００は、複数のネットワークデバイスを含み、各ネットワークデバイスのカバレージ内に他の数の端末デバイスを含んでもよく、本願の実施例は、これに限定されない。
【００５１】
任意選択で、無線通信システム１００は、ネットワークコントローラ、モビリティ管理エンティティなどの他のネットワークエンティティをさらに含むことができ、本願の実施例はこれに限定されない。
【００５２】
本明細書において、「システム」および「ネットワーク」という用語は、しばしば、本明細書において交換可能に使用されることが理解される。ここで、及び/又はとは、単に関連のある対象を記述するための関連関係の１つであり、Ａ及び/又はＢのように３つの関係が存在し得ることを意味し、Ａのみ、ＡとＢが同時に存在すること、Ｂのみが存在することの３つの場合が存在し得ることを意味する。なお、本文中の「/」の文字は、前後の関連オブジェクトが一種の「または」の関係であることを一般的に示す。
【００５３】
図２は、本発明の一実施例による、無線通信方法２００の概略的なフローチャートである。方法２００は、任意選択で、図１に示されるシステムに適用され得るが、これに限定されない。図２に示されるように、方法２００は、以下のコンテンツの少なくとも一部を含む。
【００５４】
２１０において、端末デバイスが第１の時間ユニットから、制約条件に基づいて複数の時間ユニットを確定し、前記複数の時間ユニットは、前記１つの第１のチャネルを伝送するために使用される。
【００５５】
具体的には、端末デバイスは、ある時間ユニットから開始して、１つのチャネルを伝送するための制約条件を満たす複数の時間ユニットを確定することができる。
【００５６】
任意選択で、当該第１のチャネルは、上り制御チャネル、例えば、上り物理制御チャネル( Ｕｐｌｉｎｋ Ｐｈｙｓｉｃａｌ Ｃｏｎｔｒｏｌ Ｃｈａｎｎｅｌ、ＰＵＣＣＨ )であってもよいし、上りデータチャネル、例えば、上り物理共有チャネル( Ｕｐｌｉｎｋ Ｐｈｙｓｉｃａｌ Ｓｈａｒｅｄ Ｃｈａｎｎｅｌ、ＰＵＳＣＨ )であってもよい。
【００５７】
任意選択で、本願の実施例における時間ユニットは、タイムスロット、サブフレーム、又はフレームなどであり得る。
【００５８】
任意選択で、本願の実施例における第１の時間ユニットから第１のチャネルを送信するための複数の時間ユニットを決定することは、第１の時間ユニットが制約条件を満たす場合であってもよく、第１の時間ユニットを選択することであってもよく、又は、第１の時間ユニットを判定せずに、第１の時間ユニットの次の時間ユニットから判断することであってもよい。
【００５９】
任意選択で、どの時間ユニットを第１の時間ユニットとするかは、ネットワークデバイスが設定することもできるし、予め設定しておくこともできる。
【００６０】
あるいは、端末デバイスは、現在のサービスの伝送状況に応じて、例えば、前回のデータ伝送から所定の時間ユニットだけ離れた時間ユニットを第１の時間ユニットとして決定することができる。
【００６１】
任意選択で、本願の実施例で言及されるこの制約条件は、第１のチャネルを伝送する時間ユニットに対する制約を示すために使用され、ある時間ユニットがこの制約条件を満たすことは、第１のチャネルを送信するために選択され得る。
【００６２】
任意選択で、前記制約条件は、前記時間ユニットにおいて前記１つの第１のチャネルを伝送するための物理リソース、前記時間ユニットにおいて伝送する前記１つの第１のチャネルの以外のチャネルのうちの少なくとも１つに対する制約である。
【００６３】
具体的には、ある時間において、１つの第１のチャネルの伝送に使用可能な物理リソース及び/又は１つの第１のチャネル以外の伝送に使用可能なチャネルが制約条件を満たす場合に、時間ユニットを当該１つの第１のチャネルの伝送に選択することができる。
【００６４】
任意選択で、時間ユニットにおいて１つの第１のチャネルを伝送するための物理リソースに対する制約は、前記時間ユニットにおいて前記１つの第１のチャネルを伝送するための物理リソースの数に対する制約を含む。
【００６５】
ここで、当該物理リソースの数は、第１のチャネルを伝送するために使用され得る時間領域リソース、第１のチャネルを送信する周波数領域リソース、及び/又は第１のチャネル単位を指すことができる。
【００６６】
任意選択で、時間領域リソースは、時間領域シンボル数などであり得る。
【００６７】
任意選択で、周波数領域リソースは、サブバンド数又は帯域幅などであってもよい。
【００６８】
任意選択で、第１のチャネル単位は、第１のチャネル伝送に使用され得る最小単位を指し、例えば、第１のチャネルがPUSCHであるとき、第１のチャネル単位は、物理リソースブロック( Ｐｈｙｓｉｃａｌ Ｒｅｓｏｕｒｃｅ Ｂｌｏｃｋ、ＰＲＢ )であり得る。
【００６９】
任意選択で、第１のチャネル単位によって送信される情報は、独立して符号化され、復号され得る。
【００７０】
任意選択で、第１のチャネル単位は、基準信号を含み、制御及び/又はデータ情報を含み得る。
【００７１】
任意選択で、ネットワークデバイスは、第１のチャネル単位を構成することができ、例えば、各時間ユニット内で送信に使用可能な第１のチャネル単位の数を構成することができ、又は、第１のチャネル単位のサイズを構成することができ、又は、時間ユニット内の第１のチャネル単位の位置を構成することができ、又は、基準信号、制御及び/又はデータ情報を送信するチャネル単位内の位置を構成することができる。
【００７２】
任意選択で、本願の実施例において、前記制約条件を満たしている各前記時間ユニットにおいて前記第１のチャネルを伝送するための物理リソースの数は、所定の値の以上である。
【００７３】
ある実現可能な方式において、前記制約条件を満たしている各前記時間ユニットに前記１つの第１のチャネルを伝送するための時間領域シンボルの数が、第１の所定の値の以上であり、当該第１の所定の値は、正の整数であっても良い。
【００７４】
例えば、第１のチャネルが、Ｎ＝４スロットを占有して伝送される上り制御チャネルであり、制限条件が、時間ユニットに含まれる上り時間領域シンボル数が４以上であることであるとする。図３に記載されているように、端末は、タイムスロットｎ、ｎ＋１、ｎ＋４、ｎ＋５を用いて、前記上り制御チャネルをスロットアグリゲーションして伝送する。
【００７５】
ある実現可能な方式において、前記制約条件を満たしている各前記時間ユニットに前記１つの第１のチャネルを伝送するための時間領域シンボルの数が、前記第１の所定の値の以上であり、且つ前記１つの第１のチャネルを伝送するための周波数領域リソースの数が、第２の所定の値の以上であり、当該第１の所定の値と当該第２の所定の値は、正の整数であっても良い。
【００７６】
ある実現可能な方式において、前記制約条件を満たしている各前記時間ユニットに伝送するための第１のチャネルユニットの数が、第３の所定の値の以上である、当該第３の所定の値は、正の整数であっても良い。
【００７７】
例えば、第１チャネルが上り制御チャネルであると仮定し、制限条件は、時間ユニットで少なくとも１つの第１チャネル単位が伝送され得ることである。第１のチャネル単位は、２つの時間領域シンボルを含み、前記上り制御チャネルは、Ｎ＝4個のタイムスロットを占有して伝送される。図４に記載されているように、端末は、タイムスロットｎ、ｎ＋1、ｎ＋４、ｎ＋５を用いて、前記上り制御チャネルをスロットアグリゲーションして伝送する。
【００７８】
任意選択で、該第１のチャネル単位の数が第３の所定の値以上であるとは、選択された時間ユニットに含まれる第１のチャネル単位の数が該第３の所定の値以上であればよく、選択された時間ユニットに含まれるチャネル単位の数は正の整数でなくてもよい。
【００７９】
任意選択で、ネットワークデバイスは、物理リソースの数の所定の値を構成してもよく、例えば、第１の所定の値、第２の所定の値、または第３の所定の値を構成してもよい。
【００８０】
本発明の実施例において、１つの第１チャネルの送信に使用可能な物理リソースに対する制約は、物理リソースのリソース位置に対する制約のように、数の以外の制限であっても良く、物理リソースのリソース位置を制限することでチャネル伝送間の干渉を回避することができる。
【００８１】
任意選択で、前記時間ユニットにおいて伝送する前記１つの第１のチャネルの以外のチャネルに対する制約は、前記時間ユニットにおいて伝送する前記１つの第１のチャネルの以外のチャネルが前記１つの第１のチャネルの優先度に対する制約を含む。
【００８２】
任意選択で、前記制約条件を満たしている前記時間ユニットにおいて伝送する前記１つの第１のチャネルの以外のチャネルの優先度が、前記１つの第１のチャネルよりも低い。
【００８３】
例えば、第１のチャネルが上り制御チャネルであり、前記上り制御チャネルは、エンハンスメントモバイルインターネット( Ｅｎｈａｎｃｅ Ｍｏｂｉｌｅ Ｂｒｏａｄｂａｎｄ、ｅＭＢＢ )サービス対するＡＣＫ / ＮＡＣＫ情報の伝送に使用され、システムにおいて、低遅延高信頼シナリオ( Ｕｌｔｒａ−ｒｅｌｉａｂｌｅ ａｎｄ ｌｏｗ ｌａｔｅｎｃｙ ｃｏｍｍｕｎｉｃａｔｉｏｎｓ、ＵＲＬLC )サービスに対する決定/否定( Ａｃｋｎｏｗｌｅｄｇｅ、Ｎｏｎ−Ａｃｋｎｏｗｌｅｄｇｅ、ＡＣＫ / ＮＡＣＫ )情報の伝送が規定されている上り制御チャネルの優先度が、前記第１のチャネルよりも高く、制限条件は、時間ユニットで他のより高い優先度のチャネルの伝送がないこと、及び、第１のチャネルがＮ＝４つのタイムスロットを占有して伝送されることである。図５に示すように、端末デバイスは、タイムスロットｎ、ｎ＋１、ｎ＋４、ｎ＋５を用いて、上り制御チャネルをスロットアグリゲーションして伝送する。
【００８４】
任意選択で、チャネル間の優先順位は可変であってもよく、例えばサービスの伝搬状況に応じて変更してもよい。
【００８５】
任意選択で、チャネル間の優先順位は、現在のサービスの伝送状況に応じて端末デバイスが決定してもよいし、ネットワークデバイスが構成してもよい。
【００８６】
任意選択で、時間の単位内で伝送される、１つの第１のチャネル以外のチャネルの制約は、時間の単位内で送信される、１つの第１のチャネル以外のチャネルのタイプの制約および/またはチャネル数の制約をさらに含み得る。
【００８７】
例えば、ある第１のチャネルを送信する時間ユニットが、あるタイプのチャネルを必ず含むか、含まないとする制限がある。
【００８８】
例えば、１つの第１のチャネルを伝送する時間ユニットで送信する他のチャネルの数が一定数以上とならないように制限する。
【００８９】
任意選択で、本願の実施例に記載の制約条件は、前記時間ユニットにおいて前記１つの第１のチャネルを伝送するための物理リソースと前記時間ユニットにおいて伝送する前記１つの第１のチャネルの以外のチャネルを同時に制約しても良い。
【００９０】
例えば、第１のチャネルを、ｅＭＢＢサービスに対するＡＣＫ / ＮＡＣＫ情報を伝送する上り制御チャネルとし、システムにおいてＵＲＬＬＣサービスに対するＡＣＫ / ＮＡＣＫ情報を伝送する第２のタイプの上り制御チャネルは、前記第１のチャネルよりも優先度が高く、制約条件は、時間ユニットに含まれる上り時間領域シンボル数が４以上で、かつ、時間ユニットに他のより高い優先度のチャネルが伝送されないことであり、前記上り制御チャネルは、Ｎ＝４スロットを占有して伝送される。図６に示すように、端末デバイスは、第１のチャネルを、ｎ、ｎ＋１、ｎ＋５、ｎ＋６のタイムスロットを使用してスロットアグリゲーションして伝送する。
【００９１】
任意選択で、端末デバイスが前記第１の時間ユニットから、前記制約条件に基づいて特定の数の前記時間ユニットを確定する。
【００９２】
任意選択で、当該特定の数は、ネットワークデバイスにより構成され、又は、予め設定される。
【００９３】
任意選択で、この特定の数は、伝送されるチャネルのタイプに関連してもよく、例えば、伝送されるチャネルがＰＵＳＣＨについて選択される時間ユニットの数であって、伝送されるチャネルがＰＵＣＣＨについて選択される時間ユニットの数とは異なる。
【００９４】
任意選択で、この特定の数は、伝送されるチャネルに載せられる情報量に関連してもよく、例えば、伝送されるチャネルに載せられる情報量が多い場合には、選択される時間ユニットの数は多くてもよい。
【００９５】
任意選択で、端末デバイスは、時間ユニットを選択する際に、選択する時間ユニットの数を特に限定しなくてもよい。
【００９６】
例えば、選択された時間ユニットは、第１の時間ユニットから、チャネル単位の数の合計が所定値よりも大きい。
【００９７】
任意選択で、本願の実施例において、ネットワークデバイスは、あるチャネルを複数の時間ユニットで送信するか否かを設定する端末デバイスを構成することができる。
【００９８】
任意選択で、端末デバイスは、現在のサービスの送信状況から、複数の時間ユニットで第１のチャネルを送信するか否かを自ら判断してもよい。
【００９９】
任意選択で、本願の実施例は、１つのチャネルが複数の時間ユニットで伝送される方式を、時間ユニット集約を用いて伝送される方式、例えば、１つのチャネルがスロットアグリゲーション方式で伝送される、又は、１つのチャネルがサブフレームアグリゲーション方式で伝送される。
【０１００】
２２０において、前記複数の時間ユニットにおいて、前記端末デバイスが前記ネットワークデバイスに１つの第１のチャネルを送信する。
【０１０１】
任意選択で、前記端末デバイスが前記複数の時間ユニットにおいて同じ周波数領域リソースを利用して前記１つの第１のチャネルを伝送する。
【０１０２】
任意選択で、前記端末デバイスが前記複数の時間ユニットの１番目の時間ユニットにおいて第１の周波数領域リソースを使用して、前記複数の時間ユニットの前記１番目の時間ユニット以外の時間ユニットにおいて第２の周波数領域リソースを利用して前記１つの第１のチャネルを伝送し、前記第２の周波数領域リソースが前記第１の周波数領域リソースに基づいて確定される。
【０１０３】
例えば、確定された複数の時間ユニットのうちの１番目の時間ユニットに対して第１の周波数領域リソースを採用し、後続の各時間ユニットは、所定のオフセット値を順次加算して周波数領域リソースを選択することができる。
【０１０４】
あるいは、確定された複数の時間ユニットのうちの１番目の時間ユニットに対して第１の周波数領域リソースを採用し、後続の各時間ユニットは、特定の周波数ホッピング（ｈｏｐｐｉｎｇ）方式に従って周波数領域リソースを選択することができる。
【０１０５】
任意選択で、本願の実施例において、１つのチャネルは、送信側でソースコーディング、チャネルコーディング、レートマッチングおよび変調マッピングを含んで伝送された１回の伝送に含まれる情報を含んでもよく、それに対応して、受信側で、デマッピング、デレートマッチング、チャネルコーディングおよびソースコーディング出力シンクを含んでもよい。
【０１０６】
任意選択で、本願の実施例において、１つの第１のチャネルが複数の時間ユニットにわたって送信されることは、各時間ユニットで送信される第１のチャネルの異なる部分の情報であり得る。
【０１０７】
任意選択で、１つの第１のチャネルを複数の時間ユニットで送信することは、第１のチャネルを繰り返し送信することであってもよい。ここで、繰り返し送信される第１のチャネルは、１回の符号化、レート整合及び変調マッピングを経てもよいし、複数回の符号化、レート整合及び変調マッピングを経てもよい。
【０１０８】
図７は本願の実施例における無線通信方法３００のフローチャートである。図７に示すように、当該無線通信方法３００は以下のステップを含む。
【０１０９】
３１０において、ネットワークデバイスが第１の時間ユニットから、制約条件に基づいて複数の時間ユニットを確定し、前記複数の時間ユニットは、前記１つの第１のチャネルを伝送するために使用される。
【０１１０】
任意選択で、前記制約条件は、前記時間ユニットにおいて前記１つの第１のチャネルを伝送するための物理リソース、前記時間ユニットに前記端末デバイスが伝送する前記１つの第１のチャネルの以外のチャネルのうちの少なくとも１つに対する制約を含む。
【０１１１】
任意選択で、前記時間ユニットにおいて前記１つの第１のチャネルを伝送するための物理リソースに対する制約は、前記時間ユニットにおいて前記１つの第１のチャネルを伝送するための物理リソースの数に対する制約を含む。
【０１１２】
任意選択で、前記制約条件を満たしている各前記時間ユニットに前記１つの第１のチャネルを伝送するための物理リソースの数は、所定の値の以上である。
【０１１３】
任意選択で、前記ネットワークデバイスが前記端末デバイスに第２の構成情報を送信することを含み、前記第２の構成情報は、前記所定の値を示す。
【０１１４】
任意選択で、前記制約条件を満たしている各前記時間ユニットに前記１つの第１のチャネルを伝送するための時間領域シンボルの数が、第１の所定の値の以上であり、又は、
前記制約条件を満たしている各前記時間ユニットに前記１つの第１のチャネルを伝送するための時間領域シンボルの数が、前記第１の所定の値の以上であり、且つ前記１つの第１のチャネルを伝送するための周波数領域リソースの数が、第２の所定の値の以上であり、又は、
前記制約条件を満たしている各前記時間ユニットに前記１つの第１のチャネルを伝送するための第１のチャネルユニットの数は、第３の所定の値の以上である。
【０１１５】
任意選択で、前記第１のチャネルユニットには、基準信号、制御及び／又はデータ情報が含まれる。
【０１１６】
任意選択で、前記ネットワークデバイスが前記端末デバイスに第１の構成情報を送信することを含み、前記第１の構成情報は、前記第１のチャネルユニットを構成するために使用される。
【０１１７】
任意選択で、前記時間ユニットにおいて前記端末デバイスが伝送する前記１つの第１のチャネルの以外のチャネルに対する制約は、前記時間ユニットに前記端末デバイスが伝送する前記１つの第１のチャネルの以外のチャネルが前記１つの第１のチャネルの優先度に対する制約を含む。
【０１１８】
任意選択で、前記制約条件を満たしている前記時間ユニットに前記端末デバイスが伝送する前記１つの第１のチャネルの以外のチャネルの優先度は、前記１つの第１のチャネルよりも低い。
【０１１９】
任意選択で、前記ネットワークデバイスが前記第１の時間ユニットから、前記制約条件に基づいて特定の数の前記時間ユニットを確定することを含む。
【０１２０】
任意選択で、前記ネットワークデバイスが前記端末デバイスに第３の構成情報を送信することを含み、前記第３の構成情報は、前記特定の数を示す。
【０１２１】
任意選択で、前記ネットワークデバイスが前記端末デバイスに第４の構成情報を送信することを含み、前記第４の構成情報は、前記端末デバイスが複数の前記時間ユニットを利用して前記１つの第１のチャネルを伝送するように指示する。
【０１２２】
３２０において、前記複数の時間ユニットにおいて、前記ネットワークデバイスが端末デバイスにより送信された前記１つの第１のチャネルを受信する。
【０１２３】
任意選択で、前記ネットワークデバイスが前記複数の時間ユニットにおいて同じ周波数領域リソースを利用して前記第１のチャネルを受信すること、又は、
前記ネットワークデバイスが前記複数の時間ユニットの１番目の時間ユニットにおいて第１の周波数領域リソースを利用して、前記複数の時間ユニットの前記１番目の時間ユニットの以外の時間ユニットにおいて第２の周波数領域リソースを利用して前記１つの第１のチャネルを受信することを含み、ここで、前記第２の周波数領域リソースが前記第１の周波数領域リソースに基づいて確定される。
【０１２４】
任意選択で、前記時間ユニットは、タイムスロット、サブフレームまたはフレームである。
【０１２５】
なお、当該方法３００は方法２００の特徴と結合しても良い。
【０１２６】
そして、本願の実施例において、端末デバイスが第１の時間ユニットから、制約条件に基づいて複数の時間ユニットを確定し、前記複数の時間ユニットは、前記１つの第１のチャネルを伝送するために使用され、前記複数の時間ユニットにおいて、前記端末デバイスが前記ネットワークデバイスに１つの第１のチャネルを送信し、動的に時間ユニットを選択することができ、固定の時間ユニットでチャネル伝送を行うことを回避し、チャネルの占有する時間領域リソースの大きさが異なるシーンに適用することができ、チャネル伝送の柔軟性を高めることができる。
【０１２７】
たとえば、長いＰＵＣＣＨおよび短ＰＵＣＣＨを含むシナリオに適用可能であり得、ここで、長いＰＵＣＣＨは、１または２個の時間領域シンボルを含むことができ、短ＰＵＣＣＨは、４〜１４個の時間領域シンボルを含むことができる。
【０１２８】
さらに、端末デバイスの送信電力が制限されている場合には、１つのチャネルを送信する時間ユニットを複数選択することができる。
【０１２９】
例えば、端末デバイスの送信電力が制限されている場合には、複数のタイムスロットを選択して同一の上り制御チャネルを送信することができる。
【０１３０】
図８は本願の実施例における端末デバイス４００のブロック図である。図８に示すように、当該端末デバイスは処理ユニット４１０及び通信ユニット４２０を含む。ここで、
前記処理ユニット４１０は、第１の時間ユニットから、制約条件に基づいて複数の時間ユニットを確定するように構成され、前記複数の時間ユニットは、前記１つの第１のチャネルを伝送するために使用される、
前記通信ユニット４２０は、前記複数の時間ユニットにおいて、前記ネットワークデバイスに前記１つの第１のチャネルを送信するように構成される。
【０１３１】
任意選択で、この端末デバイス４００は、方法２００において端末デバイスによって実施される様々な動作のために使用されてもよく、簡潔のためにここでは詳しい説明を省略する。
【０１３２】
図９は本願の実施例におけるネットワークデバイス５００のブロック図である。図９に示すように、当該ネットワークデバイスは処理ユニット５１０及び通信ユニット５２０を含む。
【０１３３】
ここで、前記処理ユニット５１０は、第１の時間ユニットから、制約条件に基づいて複数の時間ユニットを確定するように構成され、前記複数の時間ユニットは、前記１つの第１のチャネルを伝送するために使用される。
【０１３４】
前記通信ユニット５２０は、前記複数の時間ユニットにおいて、端末デバイスにより送信された前記１つの第１のチャネルを受信するように構成される。
【０１３５】
任意選択で、このネットワークデバイス５００は、方法３００においてネットワークデバイスによって実施される様々な動作のために使用されてもよく、簡潔のためにここでは詳しい説明を省略する。
【０１３６】
図１０は、本実施例のシステムチップ６００の概略構成図である。図１０のシステムチップ６００は、入力インターフェース６０１、出力インターフェース６０２、メモリ５０４内のコードを実行するプロセッサ６０３、及びメモリ６０４を含み、それらは内部通信接続線によって接続することができる。
【０１３７】
任意選択で、コードが実行されると、プロセッサ６０３は、方法の実施例においてネットワークデバイスによって実行される方法を実施する。簡潔にするために、ここでは繰り返し説明を省略する。
【０１３８】
任意選択で、コードが実行されると、プロセッサ６０３は、方法の実施例において端末デバイスによって実行される方法を実施する。簡潔にするために、ここでは繰り返し説明しない。
【０１３９】
図１１は、本発明の実施例による通信デバイス７００の概略ブロック図である。図１１に示すように、通信デバイス７００は、プロセッサ７１０と、メモリ７２０とを有する。メモリ７２０は、プロセッサ７１０がメモリ７２０に記憶されたプログラムコードを実行することができるプログラムコードを記憶することができる。
【０１４０】
任意選択で、図１１に示すように、通信デバイス７００は、プロセッサ７１０が外部と通信するように制御することができる送受信機７３０を含んでもよい。
【０１４１】
任意選択で、プロセッサ７１０は、メモリ７２０に記憶されたプログラムコードを呼び出して、方法の実施例におけるネットワークデバイスの対応する動作を実行してもよく、簡潔のためにここでは詳しい説明を省略する。
【０１４２】
任意選択で、プロセッサ７１０は、メモリ７２０に記憶されたプログラムコードを呼び出して、方法の実施例における端末デバイスの対応する動作を実行してもよく、簡潔のためにここでは詳しい説明を省略する。
【０１４３】
本願の実施例のプロセッサは、信号の処理能力を有する集積回路チップであり得ることが理解される。実施において、上述した方法の実施例のステップは、プロセッサ内のハードウェアの集積論理回路またはソフトウェア形態の命令によって実行されてもよい。上記のプロセッサは、汎用プロセッサ、デジタル信号プロセッサ( Ｄｉｇｉｔａｌ Ｓｉｇｎａｌ Ｐｒｏｃｅｓｓｏｒ、ＤＳＰ )、特定用途向け集積回路( Ａｐｐｌｉｃａｔｉｏｎ Ｓｐｅｃｉｆｉｃ Ｉｎｔｅｇｒａｔｅｄ Ｃｉｒｃｕｉｔ、ＡＳＩＣ )、既存のプログラマブルゲートアレイ( Ｆｉｅｌｄ Ｐｒｏｇｒａｍｍａｂｌｅ Ｇａｔｅ Ａｒｒａｙ、ＦＰＧＡ )又は他のプログラマブル論理デバイス、ディスクリートゲート又はトランジスタロジック、ディスクリートハードウェアコンポーネントであってもよい。本出願の実施例に開示された方法、ステップ、及び論理ブロック図は、実施され得るか、又は実行され得る。汎用プロセッサはマイクロプロセッサであってもよく、プロセッサは任意の従来のプロセッサなどであってもよい。本願の実施例に関連して開示される方法のステップは、ハードウェアデコーディングプロセッサ実行として直接的に、または、デコーディングプロセッサ内のハードウェアおよびソフトウェアモジュールの組み合わせで実行されるとして具現化され得る。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当技術分野で熟練した記憶媒体内に配置され得る。この記憶媒体は、メモリに位置し、プロセッサは、メモリ内の情報を読み取り、ハードウェアとともに上述した方法のステップを実行する。
【０１４４】
本発明の実施例におけるメモリは、揮発性メモリ又は不揮発性メモリであってもよく、或いは揮発性メモリ及び不揮発性メモリの両方を含んでもよいことが理解される。ここで、不揮発性メモリは、リードオンリーメモリ( Ｒｅａｄ−Ｏｎｌｙ Ｍｅｍｏｒｙ、ＲＯＭ )、プログラマブルリードオンリーメモリ( Ｐｒｏｇｒａｍｍａｂｌｅ ＲＯＭ、ＰＲＯＭ )、消去可能プログラマブルリードオンリーメモリ( Ｅｒａｓａｂｌｅ ＰＲＯＭ、ＥＰＲＯＭ )、電気的消去可能プログラマブルリードオンリーメモリ( Ｅｌｅｃｔｒｉｃａｌｌｙ ＥＰＲＯＭ、ＥＥＰＲＯＭ )、またはフラッシュメモリであってもよい。揮発性メモリは、外部キャッシュとして使用されるランダムアクセスメモリ( Ｒａｎｄｏｍ Ａｃｃｅｓｓ Ｍｅｍｏｒｙ、ＲＡＭ )であってよい。限定ではなく例として、ＲＡＭは、スタティックランダムアクセスメモリ( Ｓｔａｔｉｃ ＲＡＭ、ＳＲＡＭ ）、ダイナミックランダムアクセスメモリ（Ｄｙｎａｍｉｃ ＲＡＭ、ＤＲＡＭ )、シンクロナスダイナミックランダムアクセスメモリ( Ｓｙｎｃｈｒｏｎｏｕｓ ＤＲＡＭ、ＳＤＲＡＭ ）、ダブルデータレートシンクロナスダイナミックランダムアクセスメモリ( Ｄｏｕｂｌｅ Ｄａｔａ Ｒａｔｅ ＳＤＲＡＭ、ＤＤＲ ＳＤＲＡＭ ）、エンハンスメント型シンクロナスダイナミックランダムアクセスメモリ( Ｅｎｈａｎｃｅｄ ＳＤＲＡＭ、ＥＳＤＲＡＭ ）、シンクロナス接続ダイナミックランダムアクセスメモリ（ Ｓｙｎｃｈｌｉｎｋ ＤＲＡＭ、ＳＬＤＲＡＭ )、及びダイレクトメモリバスランダムアクセスメモリ( Ｄｉｒｅｃｔ  Ｒａｍｂｕｓ  ＲＡＭ、ＤＲ ＲＡＭ )など、多くの形態で利用可能である。本明細書に記載のシステム及び方法のメモリは、これら及び任意の他の適切なタイプのメモリを含むことが意図されているが、これらに限定されないことに留意されたい。当業者は、本明細書に開示される実施例に関連して説明される様々な例のユニットおよびアルゴリズムステップが、電子ハードウェア、またはコンピュータソフトウェアと電子ハードウェアとの組合せで実装され得ることを認識するであろう。これらの機能は、技術案の特定の適用例および設計制約に応じて、ハードウェアまたはソフトウェアのいずれで実行されるかに依存する。当業者は、説明された機
能を実施するために、特定のアプリケーションごとに異なる方法を使用し得るが、そのような実施は、本開示の範囲から逸脱するものと考えられるべきではない。
【０１４５】
当業者であれば、説明の便宜及び簡潔にするために、上記に説明されたシステム、装置及びユニットの特定の動作プロセスが、前述の方法の実施例における対応するプロセスを参照してよく、ここでその説明が省略されることを理解するであろう。
【０１４６】
本明細書で提供されるいくつかの実施例では、開示されるシステム、装置、および方法は、他の方法で実現されてもよいことが理解されるべきである。例えば、上記の装置の実施例は、単に例示的なものであり、例えば、ユニットの分割は、１つの論理的機能の分割にすぎず、実際の実装では、別の分割方法があり得、例えば、複数のユニット又はコンポーネントが、組み合わされてもよいし、別のシステムに統合されてもよいし、又はいくつかの特徴が省略されてもよいし、又は実行されなくてもよい。別の点では、表示または議論される相互間の結合または直接的な結合または通信接続は、何らかのインターフェース、デバイスまたはユニットを介した間接的な結合または通信接続であってもよく、電気的、機械的、または他の形態であってもよい。
【０１４７】
上記分離手段として説明したユニットは、物理的に分離していてもいなくてもよく、ユニットとして表示する手段は、物理的なユニットであってもなくてもよく、１箇所にあってもよく、あるいは複数のネットワークユニットに分散していてもよい。また、本実施例の目的は、必要に応じて各部の一部又は全部を選択して実施することができる。
【０１４８】
また、本発明の各実施例における各機能部は、１つの処理部に集積されてもよいし、各部は、物理的に別個に存在してもよいし、２つ以上の部が１つの部に集積されてもよい。
【０１４９】
また、ソフトウェア的な機能単位で実現され、独立した製品として販売又は使用される場合には、コンピュータ読み取り可能な記録媒体に格納されてもよい。このような理解に基づいて、本発明の技術的解決策の本質または従来技術に寄与する部分、または本発明の技術的解決策の部分は、１つのコンピュータデバイス(パーソナルコンピュータ、サーバ、またはネットワークデバイスなどであり得る)に本発明の様々な実施例に記載された方法のステップの全てまたは一部を実行させるための複数の命令を含む１つの記憶媒体に記憶されたソフトウェア製品の形態で具現化され得る。
【手続補正２】
【補正対象書類名】特許請求の範囲
【補正対象項目名】全文
【補正方法】変更
【補正の内容】
【特許請求の範囲】
【請求項１】
端末デバイスが第１の時間ユニットから、制約条件に基づいて複数の時間ユニットを確定することと、
前記複数の時間ユニットにおいて、前記端末デバイスが前記ネットワークデバイスに１つの第１のチャネルを送信することとを含み、
前記複数の時間ユニットは、前記１つの第１のチャネルを伝送するために使用される
ことを特徴とする無線通信方法。
【請求項２】
前記制約条件は、前記時間ユニットにおいて前記１つの第１のチャネルを伝送するための物理リソース、前記時間ユニットにおいて伝送する前記１つの第１のチャネルの以外のチャネルのうちの少なくとも１つに対する制約である
ことを特徴とする請求項１に記載の無線通信方法。
【請求項３】
前記時間ユニットにおいて前記１つの第１のチャネルを伝送するための物理リソースに対する制約は、前記時間ユニットにおいて前記１つの第１のチャネルを伝送するための物理リソースの数に対する制約を含む
ことを特徴とする請求項２に記載の無線通信方法。
【請求項４】
前記制約条件を満たしている各前記時間ユニットにおいて前記第１のチャネルを伝送するための物理リソースの数は、所定の値の以上である
ことを特徴とする請求項１〜３のいずれか１項に記載の無線通信方法。
【請求項５】
前記制約条件を満たしている各前記時間ユニットに前記１つの第１のチャネルを伝送するための時間領域シンボルの数が、第１の所定の値の以上であり、又は、
前記制約条件を満たしている各前記時間ユニットに前記１つの第１のチャネルを伝送するための時間領域シンボルの数が、前記第１の所定の値の以上であり、且つ前記１つの第１のチャネルを伝送するための周波数領域リソースの数が、第２の所定の値の以上であり、又は、
前記制約条件を満たしている各前記時間ユニットに伝送するための第１のチャネルユニットの数が、第３の所定の値の以上であることを含む
ことを特徴とする請求項４に記載の無線通信方法。
【請求項６】
前記方法は、さらに、
前記端末デバイスが前記ネットワークデバイスにより送信された第２の構成情報を受信することを含み、前記第２の構成情報は、前記所定の値を示す
ことを特徴とする請求項５に記載の無線通信方法。
【請求項７】
前記端末デバイスが第１の時間ユニットから、制約条件に基づいて複数の時間ユニットを確定することは、
前記端末デバイスが前記第１の時間ユニットから、前記制約条件に基づいて特定の数の前記時間ユニットを確定することを含む
ことを特徴とする請求項６に記載の無線通信方法。
【請求項８】
前記方法は、さらに、
前記端末デバイスが前記ネットワークデバイスにより送信された第３の構成情報を受信することを含み、前記第３の構成情報は、前記特定の数を示す
ことを特徴とする請求項７に記載の無線通信方法。
【請求項９】
前記方法は、さらに、
前記端末デバイスが前記ネットワークデバイスにより送信された第４の構成情報を受信することを含み、前記第４の構成情報は、前記端末デバイスが複数の前記時間ユニットを利用して前記１つの第１のチャネルを伝送するように指示する
ことを特徴とする請求項１〜８のいずれか１項に記載の無線通信方法。
【請求項１０】
ネットワークデバイスが第１の時間ユニットから、制約条件に基づいて複数の時間ユニットを確定することと、
前記複数の時間ユニットにおいて、前記ネットワークデバイスが端末デバイスにより送信された前記１つの第１のチャネルを受信することとを含み、
前記複数の時間ユニットは、前記１つの第１のチャネルを伝送するために使用される
ことを特徴とする無線通信方法。
【請求項１１】
前記制約条件は、前記時間ユニットにおいて前記１つの第１のチャネルを伝送するための物理リソース、前記時間ユニットに前記端末デバイスが伝送する前記１つの第１のチャネルの以外のチャネルのうちの少なくとも１つに対する制約である
ことを特徴とする請求項１０に記載の無線通信方法。
【請求項１２】
前記時間ユニットにおいて前記１つの第１のチャネルを伝送するための物理リソースに対する制約は、前記時間ユニットにおいて前記１つの第１のチャネルを伝送するための物理リソースの数に対する制約を含む
ことを特徴とする請求項１１に記載の無線通信方法。
【請求項１３】
前記制約条件を満たしている各前記時間ユニットに前記１つの第１のチャネルを伝送するための物理リソースの数は、所定の値の以上である
ことを特徴とする請求項１０〜１２のいずれか１項に記載の無線通信方法。
【請求項１４】
前記制約条件を満たしている各前記時間ユニットに前記１つの第１のチャネルを伝送するための時間領域シンボルの数が、第１の所定の値の以上であり、又は、
前記制約条件を満たしている各前記時間ユニットに前記１つの第１のチャネルを伝送するための時間領域シンボルの数が、前記第１の所定の値の以上であり、且つ前記１つの第１のチャネルを伝送するための周波数領域リソースの数が、第２の所定の値の以上であり、又は、
前記制約条件を満たしている各前記時間ユニットに第１のチャネルユニットを伝送するための数が、第３の所定の値の以上であることを含む
ことを特徴とする請求項１３に記載の無線通信方法。
【請求項１５】
プロセッサと、メモリと、送受信機とを備える通信デバイスであって、
前記メモリは、プログラムコードを記憶し、
前記プロセッサは、前記メモリに記憶されたプログラムコードを実行して、前記送受信機を利用して請求項１〜１４のいずれか１項に記載の方法を実現する
ことを特徴とする通信デバイス。
【国際調査報告】
2020528229.tif 000014
2020528229.tif 000015
2020528229.tif 000016
2020528229.tif 000017